(57)【要約】【課題】特定画像を用いた演出の興趣を向上させることのできる遊技機を提供する。【解決手段】ガセ予告画像が予告態様となるより前にゾーン演出を実行し、ガセ予告画像が予告態様となったときに予告演出を実行し、複数種類のガセ予告画像を同時期に表示可能であり、ガセ予告画像が４種類表示されるときには必ずゾーン演出を開始するが、ガセ予告画像が３種類の場合には、ゾーン演出が開始されるものと開始されないものとがある。【選択図】図８−１
2020146127.tif 000002
【特許請求の範囲】
【請求項１】
遊技者にとって有利な有利状態に制御可能な遊技機であって、
画像を用いた演出を実行可能な演出実行手段を備え、
前記演出実行手段は、
特定画像の表示態様が特定態様となったときに特定演出を実行可能であり、
前記特定画像が前記特定態様となるよりも前に、前記特定画像を用いた特別演出を実行可能であり、
複数種類の前記特定画像を同時期に表示可能であり、
表示する前記特定画像の組合せに応じて異なる割合で前記特別演出を実行可能である、遊技機。
【発明の詳細な説明】
【技術分野】
【０００１】
本発明は、遊技者にとって有利な有利状態に制御可能な遊技機に関する。
【背景技術】
【０００２】
従来、プレゼントボックス画像としての特定画像を複数個同時に表示する演出を実行するパチンコ遊技機があった（例えば、特許文献１参照）。
【先行技術文献】
【特許文献】
【０００３】
【特許文献１】特開２０１４−２２６２８２号公報
【発明の概要】
【発明が解決しようとする課題】
【０００４】
しかし、特許文献１のような遊技では、特定画像が表示されるのみで特定画像を用いた演出の興趣を十分に向上させることができなった。
【０００５】
本発明は、かかる実情に鑑み考え出されたものであり、その目的は、特定画像を用いた演出の興趣を向上させることのできる遊技機を提供することである。
【課題を解決するための手段】
【０００６】
（１）  遊技者にとって有利な有利状態（例えば、大当り遊技状態）に制御可能な遊技機（例えば、パチンコ遊技機１）であって、
画像を用いた演出（例えば、ガセ予告演出、予告変更演出を実行可能な演出実行手段（例えば、演出制御用ＣＰＵ１２０）を備え、
前記演出実行手段は、
特定画像（例えば、ガセ予告画像）の表示態様が特定態様（例えば、予告態様）となったときに特定演出を実行可能であり（例えば、ガセ予告画像が予告態様となったときに予告演出を実行可能）、
前記特定画像が前記特定態様となるよりも前に（例えば、ガセ予告画像が予告態様となるより前に）、前記特定画像を用いた特別演出（例えば、ゾーン演出）を実行可能であり、
複数種類の前記特定画像を同時期に表示可能であり（例えば、複数種類のガセ予告画像を同時期に表示可能）、
表示する前記特定画像の組合せに応じて異なる割合で前記特別演出を実行可能である（例えば、図８−１に示すように、ガセ予告画像が４種類表示されるときには必ずゾーン演出を開始するが、ガセ予告画像が３種類の場合には、ゾーン演出が開始されるものと開始されないものとがある）。
【０００７】
このような構成によれば、特定画像を用いた演出の興趣を向上させることができる。
【０００８】
（２）  前記（１）の遊技機において、
前記演出実行手段は、複数の前記特定画像を表示しているときに前記特別演出を実行しない場合には、前記特定演出を実行することなく該複数の前記特定画像の表示を終了する（例えば、図８−３に示すように、複数のガセ予告画像を表示しているときにゾーン演出が開始されない場合は、予告演出を実行することなく複数のガセ予告画像の表示を終了する）。
【０００９】
このような構成によれば、特定画像を用いた演出の興趣を向上させることができる。
【００１０】
（３）  前記（１）または（２）の遊技機において、
前記特定画像は、複数種類設けられ（例えば、ガセ予告画像は複数種類設けられている）、
実行される前記所定演出の種類により、表示される前記特定画像の種類の選択割合が異なる（例えば、変形例に示すように実行されるガセ予告演出の種類により、表示されるガセ予告画像の種類の選択割合が異なる）。
【００１１】
このような構成によれば、特定画像を用いた演出の興趣を向上させることができる。
【００１２】
（４）  前記（１）〜（３）のいずれかの遊技機において、
前記演出実行手段は、前記特定画像が表示される可能性が高いことを示す特定示唆演出を実行可能であり（例えば、変形例に示すように、ガセ予告画像が表示される可能性が高いことを示唆するガセゾーン演出を実行可能であり）、
前記特定示唆演出が実行されているか否かに応じて前記特別演出の実行割合が異なる（例えば、ガセゾーン演出が実行されているか否かに応じてゾーン演出の実行割合が異なる）。
【００１３】
このような構成によれば、特定画像を用いた演出の興趣を向上させることができる。
【００１４】
（５）  前記（１）〜（４）のいずれかの遊技機において、
前記演出実行手段は、前記特別演出の実行の際に前記特別演出を実行するよりも前に表示していた前記特定画像よりも多い数の前記特定画像を表示可能である（例えば、図８−４（Ｇ），（Ｈ）に示すように、ゾーン演出の際にゾーン演出を実行するよりも前に表示していたガセ予告画像よりも多い数のガセ予告画像を表示可能である）。
【００１５】
このような構成によれば、特定画像を用いた演出の興趣を向上させることができる。
【００１６】
（６）  前記（３）〜（５）のいずれかの遊技機において、
前記演出実行手段は、表示している前記特定画像によりいずれの種類の前記特定演出が実行されるのかを示唆する示唆表示を表示可能である（例えば、図８−４（Ｂ）に示すように、表示しているガセ予告画像によりいずれの予告演出が実行されるのかを示唆するルーレット画像を表示可能）。
【００１７】
このような構成によれば、特定画像を用いた演出の興趣を向上させることができる。
【図面の簡単な説明】
【００１８】
【図１】この実施の形態におけるパチンコ遊技機の正面図である。
【図２】パチンコ遊技機に搭載された各種の制御基板などを示す構成図である。
【図３】遊技制御メイン処理の一例を示すフローチャートである。
【図４】遊技制御用タイマ割込み処理の一例を示すフローチャートである。
【図５】特別図柄プロセス処理の一例を示すフローチャートである。
【図６】演出制御メイン処理の一例を示すフローチャートである。
【図７】演出制御プロセス処理の一例を示すフローチャートである。
【図８−１】ゾーン煽り演出の各種パターンを示すタイミングチャートである。
【図８−２】演出例を示す表示画面図である。
【図８−３】演出例を示す表示画面図である。
【図８−４】演出例を示す表示画面図である。
【図８−５】予告演出内容決定テーブルを示す説明図である。
【図８−６】予告変更演出パターン決定テーブルを示す説明図である。
【図８−７】予告処理を示すフローチャートである。
【図９−１】演出例を示す表示画面図である。
【図９−２】演出例を示す表示画面図である。
【図１０−１】演出例を示す表示画面図である。
【図１０−２】演出例を示す表示画面図である。
【図１０−３】演出例を示す表示画面図である。
【発明を実施するための形態】
【００１９】
（基本説明）
まず、パチンコ遊技機１の基本的な構成及び制御（一般的なパチンコ遊技機の構成及び制御でもある。）について説明する。
【００２０】
（パチンコ遊技機１の構成等）
図１は、パチンコ遊技機１の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、遊技領域が形成され、この遊技領域には、遊技媒体としての遊技球が、所定の打球発射装置から発射されて打ち込まれる。
【００２１】
遊技盤２の所定位置（図１に示す例では、遊技領域の右側方）には、複数種類の特別識別情報としての特別図柄（特図ともいう）の可変表示（特図ゲームともいう）を行う第１特別図柄表示装置４Ａ及び第２特別図柄表示装置４Ｂが設けられている。これらは、それぞれ、７セグメントのＬＥＤなどからなる。特別図柄は、「０」〜「９」を示す数字や「−」などの点灯パターンなどにより表される。特別図柄には、ＬＥＤを全て消灯したパターンが含まれてもよい。
【００２２】
なお、特別図柄の「可変表示」とは、例えば、複数種類の特別図柄を変動可能に表示することである（後述の他の図柄についても同じ）。変動としては、複数の図柄の更新表示、複数の図柄のスクロール表示、１以上の図柄の変形、１以上の図柄の拡大／縮小などがある。特別図柄や後述の普通図柄の変動では、複数種類の特別図柄又は普通図柄が更新表示される。後述の飾り図柄の変動では、複数種類の飾り図柄がスクロール表示又は更新表示されたり、１以上の飾り図柄が変形や拡大／縮小されたりする。なお、変動には、ある図柄を点滅表示する態様も含まれる。可変表示の最後には、表示結果として所定の特別図柄が停止表示（導出又は導出表示などともいう）される（後述の他の図柄の可変表示についても同じ）。なお、可変表示を変動表示、変動と表現する場合がある。
【００２３】
なお、第１特別図柄表示装置４Ａにおいて可変表示される特別図柄を「第１特図」ともいい、第２特別図柄表示装置４Ｂにおいて可変表示される特別図柄を「第２特図」ともいう。また、第１特図を用いた特図ゲームを「第１特図ゲーム」といい、第２特図を用いた特図ゲームを「第２特図ゲーム」ともいう。なお、特別図柄の可変表示を行う特別図柄表示装置は１種類であってもよい。
【００２４】
遊技盤２における遊技領域の中央付近には画像表示装置５が設けられている。画像表示装置５は、例えばＬＣＤ（液晶表示装置）や有機ＥＬ（ElectroLuminescence）等から構成され、各種の演出画像を表示する。画像表示装置５は、プロジェクタ及びスクリーンから構成されていてもよい。画像表示装置５には、各種の演出画像が表示される。
【００２５】
例えば、画像表示装置５の画面上では、第１特図ゲームや第２特図ゲームと同期して、特別図柄とは異なる複数種類の装飾識別情報としての飾り図柄（数字などを示す図柄など）の可変表示が行われる。ここでは、第１特図ゲーム又は第２特図ゲームに同期して、「左」、「中」、「右」の各飾り図柄表示エリア５Ｌ、５Ｃ、５Ｒにおいて飾り図柄が可変表示（例えば上下方向のスクロール表示や更新表示）される。なお、同期して実行される特図ゲーム及び飾り図柄の可変表示を総称して単に可変表示ともいう。
【００２６】
画像表示装置５の画面上には、実行が保留されている可変表示に対応する保留表示や、実行中の可変表示に対応するアクティブ表示を表示するための表示エリアが設けられていてもよい。保留表示及びアクティブ表示を総称して可変表示に対応する可変表示対応表示ともいう。
【００２７】
保留されている可変表示の数は保留記憶数ともいう。第１特図ゲームに対応する保留記憶数を第１保留記憶数、第２特図ゲームに対応する保留記憶数を第２保留記憶数ともいう。また、第１保留記憶数と第２保留記憶数との合計を合計保留記憶数ともいう。
【００２８】
また、遊技盤２の所定位置には、複数のＬＥＤを含んで構成された第１保留表示器２５Ａと第２保留表示器２５Ｂとが設けられ、第１保留表示器２５Ａは、ＬＥＤの点灯個数によって、第１保留記憶数を表示し、第２保留表示器２５Ｂは、ＬＥＤの点灯個数によって、第２保留記憶数を表示する。
【００２９】
画像表示装置５の下方には、入賞球装置６Ａと、可変入賞球装置６Ｂとが設けられている。
【００３０】
入賞球装置６Ａは、例えば所定の玉受部材によって常に遊技球が進入可能な一定の開放状態に保たれる第１始動入賞口を形成する。第１始動入賞口に遊技球が進入したときには、所定個（例えば３個）の賞球が払い出されるとともに、第１特図ゲームが開始され得る。
【００３１】
可変入賞球装置６Ｂ（普通電動役物）は、ソレノイド８１（図２参照）によって閉鎖状態と開放状態とに変化する第２始動入賞口を形成する。可変入賞球装置６Ｂは、例えば、一対の可動翼片を有する電動チューリップ型役物を備え、ソレノイド８１がオフ状態であるときに可動翼片が垂直位置となることにより、当該可動翼片の先端が入賞球装置６Ａに近接し、第２始動入賞口に遊技球が進入しない閉鎖状態になる（第２始動入賞口が閉鎖状態になるともいう。）。その一方で、可変入賞球装置６Ｂは、ソレノイド８１がオン状態であるときに可動翼片が傾動位置となることにより、第２始動入賞口に遊技球が進入できる開放状態になる（第２始動入賞口が開放状態になるともいう。）。第２始動入賞口に遊技球が進入したときには、所定個（例えば３個）の賞球が払い出されるとともに、第２特図ゲームが開始され得る。なお、可変入賞球装置６Ｂは、閉鎖状態と開放状態とに変化するものであればよく、電動チューリップ型役物を備えるものに限定されない。
【００３２】
遊技盤２の所定位置（図１に示す例では、遊技領域の左右下方４箇所）には、所定の玉受部材によって常に一定の開放状態に保たれる一般入賞口１０が設けられる。この場合には、一般入賞口１０のいずれかに進入したときには、所定個数（例えば１０個）の遊技球が賞球として払い出される。
【００３３】
入賞球装置６Ａと可変入賞球装置６Ｂの下方には、大入賞口を有する特別可変入賞球装置７が設けられている。特別可変入賞球装置７は、ソレノイド８２（図２参照）によって開閉駆動される大入賞口扉を備え、その大入賞口扉によって開放状態と閉鎖状態とに変化する特定領域としての大入賞口を形成する。
【００３４】
一例として、特別可変入賞球装置７では、大入賞口扉用（特別電動役物用）のソレノイド８２がオフ状態であるときに大入賞口扉が大入賞口を閉鎖状態として、遊技球が大入賞口に進入（通過）できなくなる。その一方で、特別可変入賞球装置７では、大入賞口扉用のソレノイド８２がオン状態であるときに大入賞口扉が大入賞口を開放状態として、遊技球が大入賞口に進入しやすくなる。
【００３５】
大入賞口に遊技球が進入したときには、所定個数（例えば１４個）の遊技球が賞球として払い出される。大入賞口に遊技球が進入したときには、例えば第１始動入賞口や第２始動入賞口及び一般入賞口１０に遊技球が進入したときよりも多くの賞球が払い出される。
【００３６】
一般入賞口１０を含む各入賞口に遊技球が進入することを「入賞」ともいう。特に、始動口（第１始動入賞口、第２始動入賞口始動口）への入賞を始動入賞ともいう。
【００３７】
遊技盤２の所定位置（図１に示す例では、遊技領域の左側方）には、普通図柄表示器２０が設けられている。一例として、普通図柄表示器２０は、７セグメントのＬＥＤなどからなり、特別図柄とは異なる複数種類の普通識別情報としての普通図柄の可変表示を行う。普通図柄は、「０」〜「９」を示す数字や「−」などの点灯パターンなどにより表される。普通図柄には、ＬＥＤを全て消灯したパターンが含まれてもよい。このような普通図柄の可変表示は、普図ゲームともいう。
【００３８】
画像表示装置５の左方には、遊技球が通過可能な通過ゲート４１が設けられている。遊技球が通過ゲート４１を通過したことに基づき、普図ゲームが実行される。
【００３９】
普通図柄表示器２０の上方には、普図保留表示器２５Ｃが設けられている。普図保留表示器２５Ｃは、例えば４個のＬＥＤを含んで構成され、実行が保留されている普図ゲームの数である普図保留記憶数をＬＥＤの点灯個数により表示する。
【００４０】
遊技盤２の表面には、上記の構成以外にも、遊技球の流下方向や速度を変化させる風車及び多数の障害釘が設けられている。遊技領域の最下方には、いずれの入賞口にも進入しなかった遊技球が取り込まれるアウト口が設けられている。
【００４１】
遊技機用枠３の左右上部位置には、効果音等を再生出力するためのスピーカ８Ｌ、８Ｒが設けられており、さらに遊技領域周辺部には、遊技効果用の遊技効果ランプ９が設けられている。遊技効果ランプ９は、ＬＥＤを含んで構成されている。
【００４２】
遊技盤２の所定位置（図１では図示略）には、演出に応じて動作する可動体３２が設けられている。
【００４３】
遊技機用枠３の右下部位置には、遊技球を打球発射装置により遊技領域に向けて発射するために遊技者等によって操作される打球操作ハンドル（操作ノブ）３０が設けられている。
【００４４】
遊技領域の下方における遊技機用枠３の所定位置には、賞球として払い出された遊技球や所定の球貸機により貸し出された遊技球を、打球発射装置へと供給可能に保持（貯留）する打球供給皿（上皿）が設けられている。上皿の下方には、上皿満タン時に賞球が払い出される打球供給皿（下皿）が設けられている。
【００４５】
遊技領域の下方における遊技機用枠３の所定位置には、遊技者が把持して傾倒操作が可能なスティックコントローラ３１Ａが取り付けられている。スティックコントローラ３１Ａには、遊技者が押下操作可能なトリガボタンが設けられている。スティックコントローラ３１Ａに対する操作は、コントローラセンサユニット３５Ａ（図２参照）により検出される。
【００４６】
遊技領域の下方における遊技機用枠３の所定位置には、遊技者が押下操作などにより所定の指示操作を可能なプッシュボタン３１Ｂが設けられている。プッシュボタン３１Ｂに対する操作は、プッシュセンサ３５Ｂ（図２参照）により検出される。
【００４７】
パチンコ遊技機１では、遊技者の動作（操作等）を検出する検出手段として、スティックコントローラ３１Ａやプッシュボタン３１Ｂが設けられるが、これら以外の検出手段が設けられていてもよい。
【００４８】
（遊技の進行の概略）
パチンコ遊技機１が備える打球操作ハンドル３０への遊技者による回転操作により、遊技球が遊技領域に向けて発射される。遊技球が通過ゲート４１を通過すると、普通図柄表示器２０による普図ゲームが開始される。なお、前回の普図ゲームの実行中の期間等に遊技球が通過ゲート４１を通過した場合（遊技球が通過ゲート４１を通過したが当該通過に基づく普図ゲームを直ちに実行できない場合）には、当該通過に基づく普図ゲームは所定の上限数（例えば４）まで保留される。
【００４９】
この普図ゲームでは、特定の普通図柄（普図当り図柄）が停止表示されれば、普通図柄の表示結果が「普図当り」となる。その一方、確定普通図柄として、普図当り図柄以外の普通図柄（普図ハズレ図柄）が停止表示されれば、普通図柄の表示結果が「普図ハズレ」となる。「普図当り」となると、可変入賞球装置６Ｂを所定期間開放状態とする開放制御が行われる（第２始動入賞口が開放状態になる）。
【００５０】
入賞球装置６Ａに形成された第１始動入賞口に遊技球が進入すると、第１特別図柄表示装置４Ａによる第１特図ゲームが開始される。
【００５１】
可変入賞球装置６Ｂに形成された第２始動入賞口に遊技球が進入すると、第２特別図柄表示装置４Ｂによる第２特図ゲームが開始される。
【００５２】
なお、特図ゲームの実行中の期間や、後述する大当り遊技状態や小当り遊技状態に制御されている期間に、遊技球が始動入賞口へ進入（入賞）した場合（始動入賞が発生したが当該始動入賞に基づく特図ゲームを直ちに実行できない場合）には、当該進入に基づく特図ゲームは所定の上限数（例えば４）までその実行が保留される。
【００５３】
特図ゲームにおいて、確定特別図柄として特定の特別図柄（大当り図柄、例えば「７」、後述の大当り種別に応じて実際の図柄は異なる。）が停止表示されれば、「大当り」となり、大当り図柄とは異なる所定の特別図柄（小当り図柄、例えば「２」）が停止表示されれば、「小当り」となる。また、大当り図柄や小当り図柄とは異なる特別図柄（ハズレ図柄、例えば「−」）が停止表示されれば「ハズレ」となる。
【００５４】
特図ゲームでの表示結果が「大当り」になった後には、遊技者にとって有利な有利状態として大当り遊技状態に制御される。特図ゲームでの表示結果が「小当り」になった後には、小当り遊技状態に制御される。
【００５５】
大当り遊技状態においては、遊技者は、遊技球を大入賞口に進入させることで、賞球を得ることができる。従って、大当り遊技状態は、遊技者にとって有利な状態である。大当り遊技状態におけるラウンド数が多い程、また、開放上限期間が長い程遊技者にとって有利となる。
【００５６】
なお、「大当り」には、大当り種別が設定されている。例えば、大入賞口の開放態様（ラウンド数や開放上限期間）や、大当り遊技状態後の遊技状態（後述の、通常状態、時短状態、確変状態など）を複数種類用意し、これらに応じて大当り種別が設定されている。大当り種別として、多くの賞球を得ることができる大当り種別や、賞球の少ない又はほとんど賞球を得ることができない大当り種別が設けられていてもよい。
【００５７】
小当り遊技状態では、特別可変入賞球装置７により形成される大入賞口が所定の開放態様で開放状態となる。例えば、小当り遊技状態では、一部の大当り種別のときの大当り遊技状態と同様の開放態様（大入賞口の開放回数が上記ラウンド数と同じであり、かつ、大入賞口の閉鎖タイミングも同じ等）で大入賞口が開放状態となる。なお、大当り種別と同様に、「小当り」にも小当り種別を設けてもよい。
【００５８】
大当り遊技状態が終了した後は、上記大当り種別に応じて、時短状態や確変状態に制御されることがある。
【００５９】
時短状態では、平均的な特図変動時間（特図を変動させる期間）を通常状態よりも短縮させる制御（時短制御）が実行される。時短状態では、平均的な普図変動時間（普図を変動させる期間）を通常状態よりも短縮させたり、普図ゲームで「普図当り」となる確率を通常状態よりも向上させる等により、第２始動入賞口に遊技球が進入しやすくなる制御（高開放制御、高ベース制御）も実行される。時短状態は、特別図柄（特に第２特別図柄）の変動効率が向上する状態であるので、遊技者にとって有利な状態である。
【００６０】
確変状態（確率変動状態）では、時短制御に加えて、表示結果が「大当り」となる確率が通常状態よりも高くなる確変制御が実行される。確変状態は、特別図柄の変動効率が向上することに加えて「大当り」となりやすい状態であるので、遊技者にとってさらに有利な状態である。
【００６１】
時短状態や確変状態は、所定回数の特図ゲームが実行されたことと、次回の大当り遊技状態が開始されたこと等といった、いずれか１つの終了条件が先に成立するまで継続する。所定回数の特図ゲームが実行されたことが終了条件となるものを、回数切り（回数切り時短、回数切り確変等）ともいう。
【００６２】
通常状態とは、遊技者にとって有利な大当り遊技状態等の有利状態、時短状態、確変状態等の特別状態以外の遊技状態のことであり、普図ゲームにおける表示結果が「普図当り」となる確率及び特図ゲームにおける表示結果が「大当り」となる確率などのパチンコ遊技機１が、パチンコ遊技機１の初期設定状態（例えばシステムリセットが行われた場合のように、電源投入後に所定の復帰処理を実行しなかったとき）と同一に制御される状態である。
【００６３】
確変制御が実行されている状態を高確状態、確変制御が実行されていない状態を低確状態ともいう。時短制御が実行されている状態を高ベース状態、時短制御が実行されていない状態を低ベース状態ともいう。これらを組み合わせて、時短状態は低確高ベース状態、確変状態は高確高ベース状態、通常状態は低確低ベース状態などともいわれる。高確状態かつ低ベース状態は高確低ベース状態ともいう。
【００６４】
小当り遊技状態が終了した後は、遊技状態の変更が行われず、特図ゲームの表示結果が「小当り」となる以前の遊技状態に継続して制御される（但し、「小当り」発生時の特図ゲームが、上記回数切りにおける上記所定回数目の特図ゲームである場合には、当然遊技状態が変更される）。なお、特図ゲームの表示結果として「小当り」がなくてもよい。
【００６５】
なお、遊技状態は、大当り遊技状態中に遊技球が特定領域（例えば、大入賞口内の特定領域）を通過したことに基づいて、変化してもよい。例えば、遊技球が特定領域を通過したとき、その大当り遊技状態後に確変状態に制御してもよい。
【００６６】
（演出の進行など）
パチンコ遊技機１では、遊技の進行に応じて種々の演出（遊技の進行状況を報知したり、遊技を盛り上げたりする演出）が実行される。当該演出について以下説明する。なお、当該演出は、画像表示装置５に各種の演出画像を表示することによって行われるが、当該表示に加えて又は代えて、スピーカ８Ｌ、８Ｒからの音声出力、及び／又は、遊技効果ランプ９の点等／消灯、可動体３２の動作等により行われてもよい。
【００６７】
遊技の進行に応じて実行される演出として、画像表示装置５に設けられた「左」、「中」、「右」の飾り図柄表示エリア５Ｌ、５Ｃ、５Ｒでは、第１特図ゲーム又は第２特図ゲームが開始されることに対応して、飾り図柄の可変表示が開始される。第１特図ゲームや第２特図ゲームにおいて表示結果（確定特別図柄ともいう。）が停止表示されるタイミングでは、飾り図柄の可変表示の表示結果となる確定飾り図柄（３つの飾り図柄の組合せ）も停止表示（導出）される。
【００６８】
飾り図柄の可変表示が開始されてから終了するまでの期間では、飾り図柄の可変表示の態様が所定のリーチ態様となる（リーチが成立する）ことがある。ここで、リーチ態様とは、画像表示装置５の画面上にて停止表示された飾り図柄が後述の大当り組合せの一部を構成しているときに未だ停止表示されていない飾り図柄については可変表示が継続している態様などのことである。
【００６９】
また、飾り図柄の可変表示中に上記リーチ態様となったことに対応してリーチ演出が実行される。パチンコ遊技機１では、演出態様に応じて表示結果（特図ゲームの表示結果や飾り図柄の可変表示の表示結果）が「大当り」となる割合（大当り信頼度、大当り期待度とも呼ばれる。）が異なる複数種類のリーチ演出が実行される。リーチ演出には、例えば、ノーマルリーチと、ノーマルリーチよりも大当り信頼度の高いスーパーリーチと、がある。
【００７０】
特図ゲームの表示結果が「大当り」となるときには、画像表示装置５の画面上において、飾り図柄の可変表示の表示結果として、予め定められた大当り組合せとなる確定飾り図柄が導出される（飾り図柄の可変表示の表示結果が「大当り」となる）。一例として、「左」、「中」、「右」の飾り図柄表示エリア５Ｌ、５Ｃ、５Ｒにおける所定の有効ライン上に同一の飾り図柄（例えば、「７」等）が揃って停止表示される。
【００７１】
大当り遊技状態の終了後に確変状態に制御される「確変大当り」である場合には、奇数の飾り図柄（例えば、「７」等）が揃って停止表示され、大当り遊技状態の終了後に確変状態に制御されない「非確変大当り（通常大当り）」である場合には、偶数の飾り図柄（例えば、「６」等）が揃って停止表示されるようにしてもよい。この場合、奇数の飾り図柄を確変図柄、偶数の飾り図柄を非確変図柄（通常図柄）ともいう。非確変図柄でリーチ態様となった後に、最終的に「確変大当り」となる昇格演出を実行するようにしてもよい。
【００７２】
特図ゲームの表示結果が「小当り」となるときには、画像表示装置５の画面上において、飾り図柄の可変表示の表示結果として、予め定められた小当り組合せとなる確定飾り図柄（例えば、「１  ３  ５」等）が導出される（飾り図柄の可変表示の表示結果が「小当り」となる）。一例として、「左」、「中」、「右」の飾り図柄表示エリア５Ｌ、５Ｃ、５Ｒにおける所定の有効ライン上にチャンス目を構成する飾り図柄が停止表示される。なお、特図ゲームの表示結果が、一部の大当り種別（小当り遊技状態と同様の態様の大当り遊技状態の大当り種別）の「大当り」となるときと、「小当り」となるときとで、共通の確定飾り図柄が導出表示されてもよい。
【００７３】
特図ゲームの表示結果が「ハズレ」となる場合には、飾り図柄の可変表示の態様がリーチ態様とならずに、飾り図柄の可変表示の表示結果として、非リーチ組合せの確定飾り図柄（「非リーチハズレ」ともいう。）が停止表示される（飾り図柄の可変表示の表示結果が「非リーチハズレ」となる）ことがある。また、表示結果が「ハズレ」となる場合には、飾り図柄の可変表示の態様がリーチ態様となった後に、飾り図柄の可変表示の表示結果として、大当り組合せでない所定のリーチ組合せ（「リーチハズレ」ともいう）の確定飾り図柄が停止表示される（飾り図柄の可変表示の表示結果が「リーチハズレ」となる）こともある。
【００７４】
パチンコ遊技機１が実行可能な演出には、上記の可変表示対応表示（保留表示やアクティブ表示）を表示することも含まれる。また、他の演出として、例えば、大当り信頼度を予告する予告演出等が飾り図柄の可変表示中に実行される。予告演出には、実行中の可変表示における大当り信頼度を予告する予告演出や、実行前の可変表示（実行が保留されている可変表示）における大当り信頼度を予告する先読み予告演出がある。先読み予告演出として、可変表示対応表示（保留表示やアクティブ表示）の表示態様を通常とは異なる態様に変化させる演出が実行されるようにしてもよい。
【００７５】
また、画像表示装置５において、飾り図柄の可変表示中に飾り図柄を一旦仮停止させた後に可変表示を再開させることで、１回の可変表示を擬似的に複数回の可変表示のように見せる擬似連演出を実行するようにしてもよい。
【００７６】
大当り遊技状態中にも、大当り遊技状態を報知する大当り中演出が実行される。大当り中演出としては、ラウンド数を報知する演出や、大当り遊技状態の価値が向上することを示す昇格演出が実行されてもよい。また、小当り遊技状態中にも、小当り遊技状態を報知する小当り中演出が実行される。なお、小当り遊技状態中と、一部の大当り種別（小当り遊技状態と同様の態様の大当り遊技状態の大当り種別で、例えばその後の遊技状態を高確状態とする大当り種別）での大当り遊技状態とで、共通の演出を実行することで、現在が小当り遊技状態中であるか、大当り遊技状態中であるかを遊技者に分からないようにしてもよい。そのような場合であれば、小当り遊技状態の終了後と大当り遊技状態の終了後とで共通の演出を実行することで、高確状態であるか低確状態であるかを識別できないようにしてもよい。
【００７７】
また、例えば特図ゲーム等が実行されていないときには、画像表示装置５にデモ（デモンストレーション）画像が表示される（客待ちデモ演出が実行される）。
【００７８】
（基板構成）
パチンコ遊技機１には、例えば図２に示すような主基板１１、演出制御基板１２、音声制御基板１３、ランプ制御基板１４、中継基板１５などが搭載されている。その他にも、パチンコ遊技機１の背面には、例えば払出制御基板、情報端子基板、発射制御基板、電源基板などといった、各種の基板が配置されている。
【００７９】
主基板１１は、メイン側の制御基板であり、パチンコ遊技機１における上記遊技の進行（特図ゲームの実行（保留の管理を含む）、普図ゲームの実行（保留の管理を含む）、大当り遊技状態、小当り遊技状態、遊技状態など）を制御する機能を有する。主基板１１は、遊技制御用マイクロコンピュータ１００、スイッチ回路１１０、ソレノイド回路１１１などを有する。
【００８０】
主基板１１に搭載された遊技制御用マイクロコンピュータ１００は、例えば１チップのマイクロコンピュータであり、ＲＯＭ（ReadOnlyMemory）１０１と、ＲＡＭ（RandomAccessMemory）１０２と、ＣＰＵ（CentralProcessingUnit）１０３と、乱数回路１０４と、Ｉ／Ｏ（Input/Outputport）１０５とを備える。
【００８１】
ＣＰＵ１０３は、ＲＯＭ１０１に記憶されたプログラムを実行することにより、遊技の進行を制御する処理（主基板１１の機能を実現する処理）を行う。このとき、ＲＯＭ１０１が記憶する各種データ（後述の変動パターン、後述の演出制御コマンド、後述の各種決定を行う際に参照される各種テーブルなどのデータ）が用いられ、ＲＡＭ１０２がメインメモリとして使用される。ＲＡＭ１０２は、その一部または全部がパチンコ遊技機１に対する電力供給が停止しても、所定期間記憶内容が保存されるバックアップＲＡＭとなっている。なお、ＲＯＭ１０１に記憶されたプログラムの全部又は一部をＲＡＭ１０２に展開して、ＲＡＭ１０２上で実行するようにしてもよい。
【００８２】
乱数回路１０４は、遊技の進行を制御するときに使用される各種の乱数値（遊技用乱数）を示す数値データを更新可能にカウントする。遊技用乱数は、ＣＰＵ１０３が所定のコンピュータプログラムを実行することで更新されるもの（ソフトウェアで更新されるもの）であってもよい。
【００８３】
Ｉ／Ｏ１０５は、例えば各種信号（後述の検出信号）が入力される入力ポートと、各種信号（第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどを制御（駆動）する信号、ソレノイド駆動信号）を伝送するための出力ポートとを含んで構成される。
【００８４】
スイッチ回路１１０は、遊技球検出用の各種スイッチ（ゲートスイッチ２１、始動口スイッチ（第１始動口スイッチ２２Ａおよび第２始動口スイッチ２２Ｂ）、カウントスイッチ２３）からの検出信号（遊技球が通過又は進入してスイッチがオンになったことを示す検出信号など）を取り込んで遊技制御用マイクロコンピュータ１００に伝送する。検出信号の伝送により、遊技球の通過又は進入が検出されたことになる。
【００８５】
ソレノイド回路１１１は、遊技制御用マイクロコンピュータ１００からのソレノイド駆動信号（例えば、ソレノイド８１やソレノイド８２をオンする信号など）を、普通電動役物用のソレノイド８１や大入賞口扉用のソレノイド８２に伝送する。
【００８６】
主基板１１（遊技制御用マイクロコンピュータ１００）は、遊技の進行の制御の一部として、遊技の進行に応じて演出制御コマンド（遊技の進行状況等を指定（通知）するコマンド）を演出制御基板１２に供給する。主基板１１から出力された演出制御コマンドは、中継基板１５により中継され、演出制御基板１２に供給される。当該演出制御コマンドには、例えば主基板１１における各種の決定結果（例えば、特図ゲームの表示結果（大当り種別を含む。）、特図ゲームを実行する際に使用される変動パターン（詳しくは後述））、遊技の状況（例えば、可変表示の開始や終了、大入賞口の開放状況、入賞の発生、保留記憶数、遊技状態）、エラーの発生等を指定するコマンド等が含まれる。
【００８７】
演出制御基板１２は、主基板１１とは独立したサブ側の制御基板であり、演出制御コマンドを受信し、受信した演出制御コマンドに基づいて演出（遊技の進行に応じた種々の演出であり、可動体３２の駆動、エラー報知、電断復旧の報知等の各種報知を含む）を実行する機能を有する。
【００８８】
演出制御基板１２には、演出制御用ＣＰＵ１２０と、ＲＯＭ１２１と、ＲＡＭ１２２と、表示制御部１２３と、乱数回路１２４と、Ｉ／Ｏ１２５とが搭載されている。
【００８９】
演出制御用ＣＰＵ１２０は、ＲＯＭ１２１に記憶されたプログラムを実行することにより、表示制御部１２３とともに演出を実行するための処理（演出制御基板１２の上記機能を実現するための処理であり、実行する演出の決定等を含む）を行う。このとき、ＲＯＭ１２１が記憶する各種データ（各種テーブルなどのデータ）が用いられ、ＲＡＭ１２２がメインメモリとして使用される。
【００９０】
演出制御用ＣＰＵ１２０は、コントローラセンサユニット３５Ａやプッシュセンサ３５Ｂからの検出信号（遊技者による操作を検出したときに出力される信号であり、操作内容を適宜示す信号）に基づいて演出の実行を表示制御部１２３に指示することもある。
【００９１】
表示制御部１２３は、ＶＤＰ（VideoDisplayProcessor）、ＣＧＲＯＭ（CharacterGeneratorROM）、ＶＲＡＭ（VideoRAM）などを備え、演出制御用ＣＰＵ１２０からの演出の実行指示に基づき、演出を実行する。
【００９２】
表示制御部１２３は、演出制御用ＣＰＵ１２０からの演出の実行指示に基づき、実行する演出に応じた映像信号を画像表示装置５に供給することで、演出画像を画像表示装置５に表示させる。表示制御部１２３は、さらに、演出画像の表示に同期した音声出力や、遊技効果ランプ９の点灯／消灯を行うため、音指定信号（出力する音声を指定する信号）を音声制御基板１３に供給したり、ランプ信号（ランプの点灯／消灯態様を指定する信号）をランプ制御基板１４に供給したりする。また、表示制御部１２３は、可動体３２を動作させる信号を当該可動体３２又は当該可動体３２を駆動する駆動回路に供給する。
【００９３】
音声制御基板１３は、スピーカ８Ｌ、８Ｒを駆動する各種回路を搭載しており、当該音指定信号に基づきスピーカ８Ｌ、８Ｒを駆動し、当該音指定信号が指定する音声をスピーカ８Ｌ、８Ｒから出力させる。
【００９４】
ランプ制御基板１４は、遊技効果ランプ９を駆動する各種回路を搭載しており、当該ランプ信号に基づき遊技効果ランプ９を駆動し、当該ランプ信号が指定する態様で遊技効果ランプ９を点灯／消灯する。このようにして、表示制御部１２３は、音声出力、ランプの点灯／消灯を制御する。
【００９５】
なお、音声出力、ランプの点灯／消灯の制御（音指定信号やランプ信号の供給等）、可動体３２の制御（可動体３２を動作させる信号の供給等）は、演出制御用ＣＰＵ１２０が実行するようにしてもよい。
【００９６】
乱数回路１２４は、各種演出を実行するために使用される各種の乱数値（演出用乱数）を示す数値データを更新可能にカウントする。演出用乱数は、演出制御用ＣＰＵ１２０が所定のコンピュータプログラムを実行することで更新されるもの（ソフトウェアで更新されるもの）であってもよい。
【００９７】
演出制御基板１２に搭載されたＩ／Ｏ１２５は、例えば主基板１１などから伝送された演出制御コマンドを取り込むための入力ポートと、各種信号（映像信号、音指定信号、ランプ信号）を伝送するための出力ポートとを含んで構成される。
【００９８】
演出制御基板１２、音声制御基板１３、ランプ制御基板１４といった、主基板１１以外の基板をサブ基板ともいう。パチンコ遊技機１のようにサブ基板が機能別に複数設けられていてもよいし、１のサブ基板が複数の機能を有するように構成してもよい。
【００９９】
（動作）
次に、パチンコ遊技機１の動作（作用）を説明する。
【０１００】
（主基板１１の主要な動作）
まず、主基板１１における主要な動作を説明する。パチンコ遊技機１に対して電力供給が開始されると、遊技制御用マイクロコンピュータ１００が起動し、ＣＰＵ１０３によって遊技制御メイン処理が実行される。図３は、主基板１１におけるＣＰＵ１０３が実行する遊技制御メイン処理を示すフローチャートである。
【０１０１】
図３に示す遊技制御メイン処理では、ＣＰＵ１０３は、まず、割込禁止に設定する（ステップＳ１）。続いて、必要な初期設定を行う（ステップＳ２）。初期設定には、スタックポインタの設定、内蔵デバイス（ＣＴＣ（カウンタ／タイマ回路）、パラレル入出力ポート等）のレジスタ設定、ＲＡＭ１０２をアクセス可能状態にする設定等が含まれる。
【０１０２】
次いで、クリアスイッチからの出力信号がオンであるか否かを判定する（ステップＳ３）。クリアスイッチは、例えば電源基板に搭載されている。クリアスイッチがオンの状態で電源が投入されると、出力信号（クリア信号）が入力ポートを介して遊技制御用マイクロコンピュータ１００に入力される。クリアスイッチからの出力信号がオンである場合（ステップＳ３；Ｙｅｓ）、初期化処理（ステップＳ８）を実行する。初期化処理では、ＣＰＵ１０３は、ＲＡＭ１０２に記憶されるフラグ、カウンタ、バッファをクリアするＲＡＭクリア処理を行い、作業領域に初期値を設定する。
【０１０３】
また、ＣＰＵ１０３は、初期化を指示する演出制御コマンドを演出制御基板１２に送信する（ステップＳ９）。演出制御用ＣＰＵ１２０は、当該演出制御コマンドを受信すると、例えば画像表示装置５において、遊技機の制御の初期化がなされたことを報知するための画面表示を行う。
【０１０４】
クリアスイッチからの出力信号がオンでない場合には（ステップＳ３；Ｎｏ）、ＲＡＭ１０２（バックアップＲＡＭ）にバックアップデータが保存されているか否かを判定する（ステップＳ４）。不測の停電等（電断）によりパチンコ遊技機１への電力供給が停止したときには、ＣＰＵ１０３は、当該電力供給の停止によって動作できなくなる直前に、電源供給停止時処理を実行する。この電源供給停止時処理では、ＲＡＭ１０２にデータをバックアップすることを示すバックアップフラグをオンする処理、ＲＡＭ１０２のデータ保護処理等が実行される。データ保護処理には、誤り検出符号（チェックサム、パリティビット等）の付加、各種データをバックアップする処理が含まれる。バックアップされるデータには、遊技を進行するための各種データ（各種フラグ、各種タイマの状態等を含む）の他、前記バックアップフラグの状態や誤り検出符号も含まれる。ステップＳ４では、バックアップフラグがオンであるか否かを判定する。バックアップフラグがオフでＲＡＭ１０２にバックアップデータが記憶されていない場合（ステップＳ４；Ｎｏ）、初期化処理（ステップＳ８）を実行する。
【０１０５】
ＲＡＭ１０２にバックアップデータが記憶されている場合（ステップＳ４；Ｙｅｓ）、ＣＰＵ１０３は、バックアップしたデータのデータチェックを行い（誤り検出符号を用いて行われる）、データが正常か否かを判定する（ステップＳ５）。ステップＳ５では、例えば、パリティビットやチェックサムにより、ＲＡＭ１０２のデータが、電力供給停止時のデータと一致するか否かを判定する。これらが一致すると判定された場合、ＲＡＭ１０２のデータが正常であると判定する。
【０１０６】
ＲＡＭ１０２のデータが正常でないと判定された場合（ステップＳ５；Ｎｏ）、内部状態を電力供給停止時の状態に戻すことができないので、初期化処理（ステップＳ８）を実行する。
【０１０７】
ＲＡＭ１０２のデータが正常であると判定された場合（ステップＳ５；Ｙｅｓ）、ＣＰＵ１０３は、主基板１１の内部状態を電力供給停止時の状態に戻すための復旧処理（ステップＳ６）を行う。復旧処理では、ＣＰＵ１０３は、ＲＡＭ１０２の記憶内容（バックアップしたデータの内容）に基づいて作業領域の設定を行う。これにより、電力供給停止時の遊技状態に復旧し、特別図柄の変動中であった場合には、後述の遊技制御用タイマ割込み処理の実行によって、復旧前の状態から特別図柄の変動が再開されることになる。
【０１０８】
そして、ＣＰＵ１０３は、電断からの復旧を指示する演出制御コマンドを演出制御基板１２に送信する（ステップＳ７）。これに合わせて、バックアップされている電断前の遊技状態を指定する演出制御コマンドや、特図ゲームの実行中であった場合には当該実行中の特図ゲームの表示結果を指定する演出制御コマンドを送信するようにしてもよい。これらコマンドは、後述の特別図柄プロセス処理で送信設定されるコマンドと同じコマンドを使用できる。演出制御用ＣＰＵ１２０は、電断からの復旧時を特定する演出制御コマンドを受信すると、例えば画像表示装置５において、電断からの復旧がなされたこと又は電断からの復旧中であることを報知するための画面表示を行う。演出制御用ＣＰＵ１２０は、前記演出制御コマンドに基づいて、適宜の画面表示を行うようにしてもよい。
【０１０９】
復旧処理または初期化処理を終了して演出制御基板１２に演出制御コマンドを送信した後には、ＣＰＵ１０３は、乱数回路１０４を初期設定する乱数回路設定処理を実行する（ステップＳ１０）。そして、所定時間（例えば２ｍｓ）毎に定期的にタイマ割込がかかるように遊技制御用マイクロコンピュータ１００に内蔵されているＣＴＣのレジスタの設定を行い（ステップＳ１１）、割込みを許可する（ステップＳ１２）。その後、ループ処理に入る。以後、所定時間（例えば２ｍｓ）ごとにＣＴＣから割込み要求信号がＣＰＵ１０３へ送出され、ＣＰＵ１０３は定期的にタイマ割込み処理を実行することができる。
【０１１０】
こうした遊技制御メイン処理を実行したＣＰＵ１０３は、ＣＴＣからの割込み要求信号を受信して割込み要求を受け付けると、図４のフローチャートに示す遊技制御用タイマ割込み処理を実行する。図４に示す遊技制御用タイマ割込み処理を開始すると、ＣＰＵ１０３は、まず、所定のスイッチ処理を実行することにより、スイッチ回路１１０を介してゲートスイッチ２１、第１始動口スイッチ２２Ａ、第２始動口スイッチ２２Ｂ、カウントスイッチ２３といった各種スイッチからの検出信号の受信の有無を判定する（ステップＳ２１）。続いて、所定のメイン側エラー処理を実行することにより、パチンコ遊技機１の異常診断を行い、その診断結果に応じて必要ならば警告を発生可能とする（ステップＳ２２）。この後、所定の情報出力処理を実行することにより、例えばパチンコ遊技機１の外部に設置されたホール管理用コンピュータに供給される大当り情報（大当りの発生回数等を示す情報）、始動情報（始動入賞の回数等を示す情報）、確率変動情報（確変状態となった回数等を示す情報）などのデータを出力する（ステップＳ２３）。
【０１１１】
情報出力処理に続いて、主基板１１の側で用いられる遊技用乱数の少なくとも一部をソフトウェアにより更新するための遊技用乱数更新処理を実行する（ステップＳ２４）。この後、ＣＰＵ１０３は、特別図柄プロセス処理を実行する（ステップＳ２５）。ＣＰＵ１０３がタイマ割込み毎に特別図柄プロセス処理を実行することにより、特図ゲームの実行及び保留の管理や、大当り遊技状態や小当り遊技状態の制御、遊技状態の制御などが実現される（詳しくは後述）。
【０１１２】
特別図柄プロセス処理に続いて、普通図柄プロセス処理が実行される（ステップＳ２６）。ＣＰＵ１０３がタイマ割込み毎に普通図柄プロセス処理を実行することにより、ゲートスイッチ２１からの検出信号に基づく（通過ゲート４１に遊技球が通過したことに基づく）普図ゲームの実行及び保留の管理や、「普図当り」に基づく可変入賞球装置６Ｂの開放制御などを可能にする。普図ゲームの実行は、普通図柄表示器２０を駆動することにより行われ、普図保留表示器２５Ｃを点灯させることにより普図保留数を表示する。
【０１１３】
普通図柄プロセス処理を実行した後、遊技制御用タイマ割込み処理の一部として、電断が発生したときの処理、賞球を払い出すための処理等などが行われてもよい。その後、ＣＰＵ１０３は、コマンド制御処理を実行する（ステップＳ２７）。ＣＰＵ１０３は、上記各処理にて演出制御コマンドを送信設定することがある。ステップＳ２７のコマンド制御処理では、送信設定された演出制御コマンドを演出制御基板１２などのサブ側の制御基板に対して伝送させる処理が行われる。コマンド制御処理を実行した後には、割込みを許可してから、遊技制御用タイマ割込み処理を終了する。
【０１１４】
図５は、特別図柄プロセス処理として、図４に示すステップＳ２５にて実行される処理の一例を示すフローチャートである。この特別図柄プロセス処理において、ＣＰＵ１０３は、まず、始動入賞判定処理を実行する（ステップＳ１０１）。
【０１１５】
始動入賞判定処理では、始動入賞の発生を検出し、ＲＡＭ１０２の所定領域に保留情報を格納し保留記憶数を更新する処理が実行される。始動入賞が発生すると、表示結果（大当り種別を含む）や変動パターンを決定するための乱数値が抽出され、保留情報として記憶される。また、抽出した乱数値に基づいて、表示結果や変動パターンを先読み判定する処理が実行されてもよい。保留情報や保留記憶数を記憶した後には、演出制御基板１２に始動入賞の発生、保留記憶数、先読み判定等の判定結果を指定するための演出制御コマンドを送信するための送信設定が行われる。こうして送信設定された始動入賞時の演出制御コマンドは、例えば特別図柄プロセス処理が終了した後、図４に示すステップＳ２７のコマンド制御処理が実行されることなどにより、主基板１１から演出制御基板１２に対して伝送される。
【０１１６】
Ｓ１０１にて始動入賞判定処理を実行した後、ＣＰＵ１０３は、ＲＡＭ１０２に設けられた特図プロセスフラグの値に応じて、ステップＳ１１０〜Ｓ１２０の処理のいずれかを選択して実行する。なお、特別図柄プロセス処理の各処理（ステップＳ１１０〜Ｓ１２０）では、各処理に対応した演出制御コマンドを演出制御基板１２に送信するための送信設定が行われる。
【０１１７】
ステップＳ１１０の特別図柄通常処理は、特図プロセスフラグの値が“０”（初期値）のときに実行される。この特別図柄通常処理では、保留情報の有無などに基づいて、第１特図ゲーム又は第２特図ゲームを開始するか否かの判定が行われる。また、特別図柄通常処理では、表示結果決定用の乱数値に基づき、特別図柄や飾り図柄の表示結果を「大当り」または「小当り」とするか否かや「大当り」とする場合の大当り種別を、その表示結果が導出表示される以前に決定（事前決定）する。さらに、特別図柄通常処理では、決定された表示結果に対応して、特図ゲームにおいて停止表示させる確定特別図柄（大当り図柄や小当り図柄、ハズレ図柄のいずれか）が設定される。その後、特図プロセスフラグの値が“１”に更新され、特別図柄通常処理は終了する。なお、第２特図を用いた特図ゲームが第１特図を用いた特図ゲームよりも優先して実行されるようにしてもよい（特図２優先消化ともいう）。また、第１始動入賞口及び第２始動入賞口への遊技球の入賞順序を記憶し、入賞順に特図ゲームの開始条件を成立させるようにしてもよい（入賞順消化ともいう）。
【０１１８】
乱数値に基づき各種の決定を行う場合には、ＲＯＭ１０１に格納されている各種のテーブル（乱数値と比較される決定値が決定結果に割り当てられているテーブル）が参照される。主基板１１における他の決定、演出制御基板１２における各種の決定についても同じである。演出制御基板１２においては、各種のテーブルがＲＯＭ１２１に格納されている。
【０１１９】
ステップＳ１１１の変動パターン設定処理は、特図プロセスフラグの値が“１”のときに実行される。この変動パターン設定処理には、表示結果を「大当り」または「小当り」とするか否かの事前決定結果等に基づき、変動パターン決定用の乱数値を用いて変動パターンを複数種類のいずれかに決定する処理などが含まれている。変動パターン設定処理では、変動パターンを決定したときに、特図プロセスフラグの値が“２”に更新され、変動パターン設定処理は終了する。
【０１２０】
変動パターンは、特図ゲームの実行時間（特図変動時間）（飾り図柄の可変表示の実行時間でもある）や、飾り図柄の可変表示の態様（リーチの有無等）、飾り図柄の可変表示中の演出内容（リーチ演出の種類等）を指定するものであり、可変表示パターンとも呼ばれる。
【０１２１】
ステップＳ１１２の特別図柄変動処理は、特図プロセスフラグの値が“２”のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理などが含まれている。また、計測された経過時間が変動パターンに対応する特図変動時間に達したか否かの判定も行われる。そして、特別図柄の変動を開始してからの経過時間が特図変動時間に達したときには、特図プロセスフラグの値が“３”に更新され、特別図柄変動処理は終了する。
【０１２２】
ステップＳ１１３の特別図柄停止処理は、特図プロセスフラグの値が“３”のときに実行される。この特別図柄停止処理には、第１特別図柄表示装置４Ａや第２特別図柄表示装置４Ｂにて特別図柄の変動を停止させ、特別図柄の表示結果となる確定特別図柄を停止表示（導出）させるための設定を行う処理が含まれている。そして、表示結果が「大当り」である場合には特図プロセスフラグの値が“４”に更新される。その一方で、大当りフラグがオフであり、表示結果が「小当り」である場合には、特図プロセスフラグの値が“８”に更新される。また、表示結果が「ハズレ」である場合には、特図プロセスフラグの値が“０”に更新される。表示結果が「小当り」又は「ハズレ」である場合、時短状態や確変状態に制御されているときであって、回数切りの終了成立する場合には、遊技状態も更新される。特図プロセスフラグの値が更新されると、特別図柄停止処理は終了する。
【０１２３】
ステップＳ１１４の大当り開放前処理は、特図プロセスフラグの値が“４”のときに実行される。この大当り開放前処理には、表示結果が「大当り」となったことなどに基づき、大当り遊技状態においてラウンドの実行を開始して大入賞口を開放状態とするための設定を行う処理などが含まれている。大入賞口を開放状態とするときには、大入賞口扉用のソレノイド８２に対してソレノイド駆動信号を供給する処理が実行される。このときには、例えば大当り種別がいずれであるかに対応して、大入賞口を開放状態とする開放上限期間や、ラウンドの上限実行回数を設定する。これらの設定が終了すると、特図プロセスフラグの値が“５”に更新され、大当り開放前処理は終了する。
【０１２４】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、大入賞口扉用のソレノイド８２に対するソレノイド駆動信号の供給を停止させる処理などを実行した後、特図プロセスフラグの値が“６”に更新し、大当り開放中処理を終了する。
【０１２５】
ステップＳ１１６の大当り開放後処理は、特図プロセスフラグの値が“６”のときに実行される。この大当り開放後処理には、大入賞口を開放状態とするラウンドの実行回数が設定された上限実行回数に達したか否かを判定する処理や、上限実行回数に達した場合に大当り遊技状態を終了させるための設定を行う処理などが含まれている。そして、ラウンドの実行回数が上限実行回数に達していないときには、特図プロセスフラグの値が“５”に更新される一方、ラウンドの実行回数が上限実行回数に達したときには、特図プロセスフラグの値が“７”に更新される。特図プロセスフラグの値が更新されると、大当り解放後処理は終了する。
【０１２６】
ステップＳ１１７の大当り終了処理は、特図プロセスフラグの値が“７”のときに実行される。この大当り終了処理には、大当り遊技状態の終了を報知する演出動作としてのエンディング演出が実行される期間に対応した待ち時間が経過するまで待機する処理や、大当り遊技状態の終了に対応して確変制御や時短制御を開始するための各種の設定を行う処理などが含まれている。こうした設定が行われたときには、特図プロセスフラグの値が“０”に更新され、大当り終了処理は終了する。
【０１２７】
ステップＳ１１８の小当り開放前処理は、特図プロセスフラグの値が“８”のときに実行される。この小当り開放前処理には、表示結果が「小当り」となったことに基づき、小当り遊技状態において大入賞口を開放状態とするための設定を行う処理などが含まれている。このときには、特図プロセスフラグの値が“９”に更新され、小当り開放前処理は終了する。
【０１２８】
ステップＳ１１９の小当り開放中処理は、特図プロセスフラグの値が“９”のときに実行される。この小当り開放中処理には、大入賞口を開放状態としてからの経過時間を計測する処理や、その計測した経過時間などに基づいて、大入賞口を開放状態から閉鎖状態に戻すタイミングとなったか否かを判定する処理などが含まれている。大入賞口を閉鎖状態に戻して小当り遊技状態の終了タイミングとなったときには、特図プロセスフラグの値が“１０”に更新され、小当り開放中処理は終了する。
【０１２９】
ステップＳ１２０の小当り終了処理は、特図プロセスフラグの値が“１０”のときに実行される。この小当り終了処理には、小当り遊技状態の終了を報知する演出動作が実行される期間に対応した待ち時間が経過するまで待機する処理などが含まれている。ここで、小当り遊技状態が終了するときには、小当り遊技状態となる以前のパチンコ遊技機１における遊技状態を継続させる。小当り遊技状態の終了時における待ち時間が経過したときには、特図プロセスフラグの値が“０”に更新され、小当り終了処理は終了する。
【０１３０】
（演出制御基板１２の主要な動作）
次に、演出制御基板１２における主要な動作を説明する。演出制御基板１２では、電源基板等から電源電圧の供給を受けると、演出制御用ＣＰＵ１２０が起動して、図６のフローチャートに示すような演出制御メイン処理を実行する。図６に示す演出制御メイン処理を開始すると、演出制御用ＣＰＵ１２０は、まず、所定の初期化処理を実行して（ステップＳ７１）、ＲＡＭ１２２のクリアや各種初期値の設定、また演出制御基板１２に搭載されたＣＴＣ（カウンタ／タイマ回路）のレジスタ設定等を行う。また、初期動作制御処理を実行する（ステップＳ７２）。初期動作制御処理では、可動体３２を駆動して初期位置に戻す制御、所定の動作確認を行う制御といった可動体３２の初期動作を行う制御が実行される。
【０１３１】
その後、タイマ割込みフラグがオンとなっているか否かの判定を行う（ステップＳ７３）。タイマ割込みフラグは、例えばＣＴＣのレジスタ設定に基づき、所定時間（例えば２ミリ秒）が経過するごとにオン状態にセットされる。このとき、タイマ割込みフラグがオフであれば（ステップＳ７３；Ｎｏ）、ステップＳ７３の処理を繰り返し実行して待機する。
【０１３２】
また、演出制御基板１２の側では、所定時間が経過するごとに発生するタイマ割込みとは別に、主基板１１からの演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドを取り込む。このとき取り込まれた演出制御コマンドは、例えばＲＡＭ１２２に設けられた演出制御コマンド受信用バッファに格納する。その後、演出制御用ＣＰＵ１２０は、割込み許可に設定してから、コマンド受信割込み処理を終了する。
【０１３３】
ステップＳ７３にてタイマ割込みフラグがオンである場合には（ステップＳ７３；Ｙｅｓ）、タイマ割込みフラグをクリアしてオフ状態にするとともに（ステップＳ７４）、コマンド解析処理を実行する（ステップＳ７５）。コマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。例えば、どの演出制御コマンドを受信したかや演出制御コマンドが特定する内容等を演出制御プロセス処理等で確認できるように、読み出された演出制御コマンドをＲＡＭ１２２の所定領域に格納したり、ＲＡＭ１２２に設けられた受信フラグをオンしたりする。また、演出制御コマンドが遊技状態を特定する場合、遊技状態に応じた背景の表示を表示制御部１２３に指示してもよい。
【０１３４】
ステップＳ７５にてコマンド解析処理を実行した後には、演出制御プロセス処理を実行する（ステップＳ７６）。演出制御プロセス処理では、例えば画像表示装置５の表示領域における演出画像の表示動作、スピーカ８Ｌ、８Ｒからの音声出力動作、遊技効果ランプ９及び装飾用ＬＥＤといった装飾発光体における点灯動作、可動体３２の駆動動作といった、各種の演出装置を動作させる制御が行われる。また、各種の演出装置を用いた演出動作の制御内容について、主基板１１から送信された演出制御コマンド等に応じた判定や決定、設定などが行われる。
【０１３５】
ステップＳ７６の演出制御プロセス処理に続いて、演出用乱数更新処理が実行され（ステップＳ７７）、演出制御基板１２の側で用いられる演出用乱数の少なくとも一部がソフトウェアにより更新される。その後、ステップＳ７３の処理に戻る。ステップＳ７３の処理に戻る前に、他の処理が実行されてもよい。
【０１３６】
図７は、演出制御プロセス処理として、図６のステップＳ７６にて実行される処理の一例を示すフローチャートである。図７に示す演出制御プロセス処理において、演出制御用ＣＰＵ１２０は、まず、先読予告設定処理を実行する（ステップＳ１６１）。先読予告設定処理では、例えば、主基板１１から送信された始動入賞時の演出制御コマンドに基づいて、先読み予告演出を実行するための判定や決定、設定などが行われる。また、当該演出制御コマンドから特定される保留記憶数に基づき保留表示を表示するための処理が実行される。
【０１３７】
ステップＳ１６１の処理を実行した後、演出制御用ＣＰＵ１２０は、例えばＲＡＭ１２２に設けられた演出プロセスフラグの値に応じて、以下のようなステップＳ１７０〜Ｓ１７７の処理のいずれかを選択して実行する。
【０１３８】
ステップＳ１７０の可変表示開始待ち処理は、演出プロセスフラグの値が“０”（初期値）のときに実行される処理である。この可変表示開始待ち処理は、主基板１１から可変表示の開始を指定するコマンドなどを受信したか否かに基づき、画像表示装置５における飾り図柄の可変表示を開始するか否かを判定する処理などを含んでいる。画像表示装置５における飾り図柄の可変表示を開始すると判定された場合、演出プロセスフラグの値を“１”に更新し、可変表示開始待ち処理を終了する。
【０１３９】
ステップＳ１７１の可変表示開始設定処理は、演出プロセスフラグの値が“１”のときに実行される処理である。この可変表示開始設定処理では、演出制御コマンドにより特定される表示結果や変動パターンに基づいて、飾り図柄の可変表示の表示結果（確定飾り図柄）、飾り図柄の可変表示の態様、リーチ演出や各種予告演出などの各種演出の実行の有無やその態様や実行開始タイミングなどを決定する。そして、その決定結果等を反映した演出制御パターン（表示制御部１２３に演出の実行を指示するための制御データの集まり）を設定する。その後、設定した演出制御パターンに基づいて、飾り図柄の可変表示の実行開始を表示制御部１２３に指示し、演出プロセスフラグの値を“２”に更新し、可変表示開始設定処理を終了する。表示制御部１２３は、飾り図柄の可変表示の実行開始の指示により、画像表示装置５において、飾り図柄の可変表示を開始させる。
【０１４０】
ステップＳ１７２の可変表示中演出処理は、演出プロセスフラグの値が“２”のときに実行される処理である。この可変表示中演出処理において、演出制御用ＣＰＵ１２０は、表示制御部１２３を指示することで、ステップＳ１７１にて設定された演出制御パターンに基づく演出画像を画像表示装置５の表示画面に表示させることや、可動体３２を駆動させること、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、飾り図柄の可変表示中における各種の演出制御を実行する。こうした演出制御を行った後、例えば演出制御パターンから飾り図柄の可変表示終了を示す終了コードが読み出されたこと、あるいは、主基板１１から確定飾り図柄を停止表示させることを指定するコマンドを受信したことなどに対応して、飾り図柄の表示結果となる確定飾り図柄を停止表示させる。確定飾り図柄を停止表示したときには、演出プロセスフラグの値が“３”に更新され、可変表示中演出処理は終了する。
【０１４１】
ステップＳ１７３の特図当り待ち処理は、演出プロセスフラグの値が“３”のときに実行される処理である。この特図当り待ち処理において、演出制御用ＣＰＵ１２０は、主基板１１から大当り遊技状態又は小当り遊技状態を開始することを指定する演出制御コマンドの受信があったか否かを判定する。そして、大当り遊技状態又は小当り遊技状態を開始することを指定する演出制御コマンドを受信したきに、そのコマンドが大当り遊技状態の開始を指定するものであれば、演出プロセスフラグの値を“６”に更新する。これに対して、そのコマンドが小当り遊技状態の開始を指定するものであれば、演出プロセスフラグの値を小当り中演出処理に対応した値である“４”に更新する。また、大当り遊技状態又は小当り遊技状態を開始することを指定するコマンドを受信せずに、当該コマンドの受信待ち時間が経過したときには、特図ゲームにおける表示結果が「ハズレ」であったと判定して、演出プロセスフラグの値を初期値である“０”に更新する。演出プロセスフラグの値を更新すると、特図当り待ち処理を終了する。
【０１４２】
ステップＳ１７４の小当り中演出処理は、演出制御プロセスフラグの値が“４”のときに実行される処理である。この小当り中演出処理において、演出制御用ＣＰＵ１２０は、例えば小当り遊技状態における演出内容に対応した演出制御パターン等を設定し、その設定内容に基づく小当り遊技状態における各種の演出制御を実行する。また、小当り中演出処理では、例えば主基板１１から小当り遊技状態を終了することを指定するコマンドを受信したことに対応して、演出プロセスフラグの値を小当り終了演出に対応した値である“５”に更新し、小当り中演出処理を終了する。
【０１４３】
ステップＳ１７５の小当り終了演出処理は、演出制御プロセスフラグの値が“５”のときに実行される処理である。この小当り終了演出処理において、演出制御用ＣＰＵ１２０は、例えば小当り遊技状態の終了などに対応した演出制御パターン等を設定し、その設定内容に基づく小当り遊技状態の終了時における各種の演出制御を実行する。その後、演出プロセスフラグの値を初期値である“０”に更新し、小当り終了演出処理を終了する。
【０１４４】
ステップＳ１７６の大当り中演出処理は、演出プロセスフラグの値が“６”のときに実行される処理である。この大当り中演出処理において、演出制御用ＣＰＵ１２０は、例えば大当り遊技状態における演出内容に対応した演出制御パターン等を設定し、その設定内容に基づく大当り遊技状態における各種の演出制御を実行する。また、大当り中演出処理では、例えば主基板１１から大当り遊技状態を終了することを指定するコマンドを受信したことに対応して、演出制御プロセスフラグの値をエンディング演出処理に対応した値である“７”に更新し、大当り中演出処理を終了する。
【０１４５】
ステップＳ１７７のエンディング演出処理は、演出プロセスフラグの値が“７”のときに実行される処理である。このエンディング演出処理において、演出制御用ＣＰＵ１２０は、例えば大当り遊技状態の終了などに対応した演出制御パターン等を設定し、その設定内容に基づく大当り遊技状態の終了時におけるエンディング演出の各種の演出制御を実行する。その後、演出プロセスフラグの値を初期値である“０”に更新し、エンディング演出処理を終了する。
【０１４６】
（基本説明の変形例）
この発明は、上記基本説明で説明したパチンコ遊技機１に限定されず、本発明の趣旨を逸脱しない範囲で、様々な変形及び応用が可能である。
【０１４７】
上記基本説明のパチンコ遊技機１は、入賞の発生に基づいて所定数の遊技媒体を景品として払い出す払出式遊技機であったが、遊技媒体を封入し入賞の発生に基づいて得点を付与する封入式遊技機であってもよい。
【０１４８】
特別図柄の可変表示中に表示されるものは１種類の図柄（例えば、「−」を示す記号）だけで、当該図柄の表示と消灯とを繰り返すことによって可変表示を行うようにしてもよい。さらに可変表示中に当該図柄が表示されるものも、可変表示の停止時には、当該図柄が表示されなくてもよい（表示結果としては「−」を示す記号が表示されなくてもよい）。
【０１４９】
上記基本説明では、遊技機としてパチンコ遊技機１を示したが、メダルが投入されて所定の賭け数が設定され、遊技者による操作レバーの操作に応じて複数種類の図柄を回転させ、遊技者によるストップボタンの操作に応じて図柄を停止させたときに停止図柄の組合せが特定の図柄の組み合わせになると、所定数のメダルが遊技者に払い出されるゲームを実行可能なスロット機（例えば、ビッグボーナス、レギュラーボーナス、ＲＴ、ＡＴ、ＡＲＴ、ＣＺ（以下、ボーナス等）のうち１以上を搭載するスロット機）にも本発明を適用可能である。
【０１５０】
本発明を実現するためのプログラム及びデータは、パチンコ遊技機１に含まれるコンピュータ装置などに対して、着脱自在の記録媒体により配布・提供される形態に限定されるものではなく、予めコンピュータ装置などの有する記憶装置にインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０１５１】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【０１５２】
なお、本明細書において、演出の実行割合などの各種割合の比較の表現（「高い」、「低い」、「異ならせる」などの表現）は、一方が「０％」の割合であることを含んでもよい。例えば、一方が「０％」の割合で、他方が「１００％」の割合又は「１００％」未満の割合であることも含む。
【０１５３】
（特徴部００４Ｆ〜００６Ｆに関する説明）
次に、本実施の形態の特徴部００４Ｆ〜００６Ｆについて説明する。特徴部００４Ｆ〜００６Ｆは、画像表示装置５に表示される画像を用いた演出を実行することに特徴がある。演出制御用ＣＰＵ１２０は、画像表示装置５の画面上に画像を用いた様々な演出を実行する。画像を用いた演出には、大当り遊技状態に制御される大当り表示結果が表示されることを画像を用いて予告する予告演出がある。また、画像を用いた演出には、大当り遊技状態に制御されない結果を示唆するガセ予告演出がある。ここで、ガセとは、実際には実行されない、にせものという意味で用いられる。つまり、ガセ予告では、実際の予告が実行されず偽の予告が実行されることとなる。よって、ガセ予告では、大当り遊技状態に制御される大当り表示結果が示唆されず、大当り遊技状態に制御されない結果（例えば、はずれ表示結果）が示唆されることになる。
【０１５４】
特徴部００４Ｆ〜００６Ｆでは、ガセ予告演出が実行されることに伴って、特定画像としてのガセ予告画像が表示される。ガセ予告演出は、一回の可変表示中に複数回実行可能であるため、ガセ予告画像も複数個表示されることがある。また、ガセ予告画像は、表示態様がガセ予告画像から予告態様へと変化することがある。予告態様とは、実際に大当り遊技状態に制御される大当り表示結果が表示されることを示す予告画像である。
【０１５５】
また、ガセ予告画像が予告態様となる前には、ガセ予告画像を用いた特別演出が実行されることがある。特別演出として例えば、ゾーン演出が実行される。ゾーン演出では、テロップ画像の表示や背景画像の変化により、ゾーン開始前とは異なる態様の画面へと変化する。また、ゾーン演出中には、ガセ予告画像を用いてガセ予告画像を予告態様としての予告画像へ変更する予告変更演出が実行される。
【０１５６】
また、ガセ予告画像を表示した後に、ゾーン演出が実行されるか否かを示唆する示唆演出としてゾーン煽り演出が実行される。ゾーン煽り演出が実行された後にゾーン演出が開始されるパターン、ゾーン煽り演出が実行されたがゾーン演出が開始されないパターンが設けられている。また、ガセ予告画像の表示に関連して複数回ゾーン煽り演出が実行されることがある。具体的には、ガセ予告画像が４種類（４つ）表示されるときは、ゾーン煽り演出後にゾーン演出が実行される。それに対し、ガセ予告画像が３種類（３つ）表示されるときは、ゾーン煽り演出後にゾーン演出が実行されない場合と、１回目のゾーン煽り演出後にゾーン演出が実行されないが、２回目のゾーン煽り演出後にゾーン演出が実行される場合とがある。このように、ゾーン演出に移行しないように見せかけた後にゾーン演出が開始される複数回のゾーン煽り演出が実行されるパターンも設けられている。
【０１５７】
また、ガセ予告画像は複数種類設けられている。その複数種類のガセ予告画像は、同時期に表示可能である。そして、表示されたガセ予告画像の組合せに応じて異なる割合で特別演出としてのゾーン演出が実行される。具体的には、ガセ予告画像が４種類（４つ）表示されるときは、ゾーン演出が必ず実行されるが、ガセ予告画像が３種類（３つ）表示されるときは、ゾーン演出が実行されない場合と、ゾーン演出が実行される場合とがある。なお、ガセ予告画像が４種類（４つ）表示される場合であってもゾーン演出が必ず実行されないようにしてもよい。そして、このような場合には、ガセ予告画像の表示数が多い場合の方が少ない場合よりもゾーン演出の実行割合が高いようにしてもよい。また、すべてのガセ予告画像が同時期に表示されるのではなく一部のガセ予告画像が同時期に表示されるようにしてもよい。
【０１５８】
特徴部００４Ｆ〜００６Ｆでは、予告画像をいきなり表示するのではなく、ガセ予告演出によるガセ予告画像を用いた演出を一段階挟んで実行することに特徴がある。また、ガセ予告画像の表示の契機が遊技者にとってネガティブな事象であるガセ予告演出の発生後のタイミングであることに特徴がある。なお、ガセ予告演出の種類と表示されるガセ予告画像の種類とは関連のあるものについて説明するが、ガセ予告演出の種類と表示されるガセ予告画像の種類とは関連がないものであってもよい。
【０１５９】
上記したガセ予告画像を用いた演出について、ゾーン煽り演出のパターンとの関係について詳細に説明する。図８−１は、ゾーン煽り演出の各種パターンを示すタイミングチャートである。図８−１では、一の飾り図柄の変動表示（可変表示)の実行中に行われる各種演出について説明する。図８−１（Ａ）は、ゾーン煽り演出１回でゾーン演出が成功となるパターンを示している。図８−１（Ｂ）は、ゾーン煽り演出２回でゾーン演出が成功となるパターンを示している。図８−１（Ｃ）は、ゾーン煽り演出を実行するがゾーン演出が開始されない失敗パターンを示している。
【０１６０】
飾り図柄の変動表示が開始され変動表示が停止するまでには、擬似連の演出が実行されるパターンがある。擬似連演出では、飾り図柄の変動表示を一旦仮停止させた後に変動表示を再開させることで、１回の変動表示を擬似的に複数回の変動表示のように見せる演出が実行される。変動開始から１回目の仮停止までの擬似的な変動表示を初回変動と言う。また、初回変動後に擬似的な変動表示が開始され仮停止するまでの擬似的な変動表示を再変動と言う。擬似連演出では、初回変動のみで終了するパターン、再変動が２回以上実行されるパターンが含まれていてもよい。ここでは、初回変動とその後に１回の再変動とが実行されるパターンについて説明する。このような変動パターンは、擬似連の変動が２回実行されるため擬似連２回パターンであるとも言える。
【０１６１】
図８−１（Ａ）に示すゾーン煽り演出１回パターンでは、変動開始後の擬似連の初回変動中の期間にガセ予告演出Ａが実行され、その後にガセ予告演出Ｂが実行される。次いで、擬似連演出の再変動の期間にガセ予告演出Ｃが実行され、その後にガセ予告演出Ｄが実行される。このように、ガセ予告には複数の種類がある。そして、大当り表示結果を示唆する実際の予告演出ではないガセ予告演出が実行されることにより対応するガセ予告画像が画面上に表示される。また、複数種類のガセ予告演出が実行されることで複数種類のガセ予告画像が表示されるが、これらのガセ予告画像は同時期に表示されるタイミングがある。その後、リーチ状態となるタイミングでゾーン演出を開始するか否かを煽るゾーン煽り演出が実行される。そして、ゾーン煽り演出が終了するタイミグでゾーン演出が開始される。ゾーン演出中は、ガセ予告画像を実際実行される予告態様として予告画像へ変更する予告変更演出が実行される。
【０１６２】
予告変更演出が終了した後は、ＳＰリーチ発展演出が実行される。ＳＰリーチ（スーパリーチの略）は、実行されることでＳＰリーチへ発展しないノーマルリーチよりも大当り期待度が高いリーチである。また、スーパーリーチは、見かけ上スーパーリーチの前半と後半とに分けられている。そして、スーパーリーチが前半で終わるパターンと後半に発展するパターンとがあるが、後半に発展するパターンの方が大当り期待度が高い。図８−１（Ａ）に示すゾーン煽り演出１回でゾーン演出が成功となるパターンにおいては、ＳＰリーチ発展後にスーパーリーチ前半の演出が実行された後に、スーパーリーチ後半の演出が実行され、変動表示を停止する。スーパーリーチ後半において予告画像を用いた予告演出が実行される。
【０１６３】
次に、図８−１（Ｂ）に示すゾーン煽り演出２回パターンについて説明する。ゾーン煽り演出２回パターンでは、変動開始後の擬似連の初回変動中の期間にガセ予告演出Ａが実行され、その後にガセ予告演出Ｂが実行される。次いで、擬似連演出の再変動の期間にガセ予告演出Ｃが実行される。その後、リーチ状態となるタイミングでゾーン演出を開始するか否かを煽るゾーン煽り演出が実行され、そのゾーン煽り演出ではゾーン演出に発展しない失敗パターンで表示される。その後、ＳＰリーチへ発展するか否かを示唆する発展示唆演出が実行される。
【０１６４】
発展示唆演出後に、ＳＰリーチへと発展する。その後、再び２回目のゾーン煽り演出が実行される。そして、２回目のゾーン煽り演出が終了するタイミグでゾーン演出が開始される。ゾーン演出中は、図８−１（Ａ）のパターンと同じく、予告変更演出が実行される。２回目のゾーン煽り演出と、予告変更演出は、スーパーリーチ前半の期間を用いて実行される。その後、スーパーリーチ後半の演出が実行され、変動表示を停止する。
【０１６５】
なお、発展示唆演出が実行されるが、ＳＰリーチへ発展しないパターンを設けてもよい。また、１回目のゾーン煽り演出と２回目のゾーン煽り演出とで異なる演出が実行されるようにしてもよい。また、ゾーン煽り演出が３回以上実行されるパターンを設けてもよい。また、ゾーン煽り演出がＳＰリーチ後半の部分で実行されるようにしてもよい。また、ゾーン煽り演出の回数やタイミングによりゾーン演出が開始される期待度が異なるようにしてもよい。
【０１６６】
次に、図８−１（Ｃ）に示すゾーン煽り演出失敗パターンについて説明する。ゾーン煽り演出失敗パターンでは、図８−１（Ｂ）と同様に変動開始後の擬似連の初回変動中の期間にガセ予告演出Ａが実行され、その後にガセ予告演出Ｂが実行される。次いで、擬似連演出の再変動の期間にガセ予告演出Ｃが実行される。その後、リーチ状態となるタイミングでゾーン演出を開始するか否かを煽るゾーン煽り演出が実行され、そのゾーン煽り演出ではゾーン演出に発展しない失敗パターンで表示され変動表示を停止する。
【０１６７】
ここで、本実施の形態の特徴部００４Ｆ〜００６Ｆでは、図８−１（Ａ）に示すように、複数種類のガセ予告演出が実行されることにより、ガセ予告画像が４種類（４つ）表示されるときには必ずゾーン演出を開始するようになっているが、図８−１（Ｂ），（Ｃ）に示すように、ガセ予告画像が３種類（３つ）の場合には、ゾーンが開始されるものと開始されないものとがあるようになっている。つまり、ガセ予告画像が４種類（４つ）表示される場合は、１００％の割合でゾーン演出が開始されるが、ガセ予告画像が３種類（３つ）表示される場合は、１００％よりも低い割合でゾーン演出が開始される。このようにすれば、ガセ予告画像が何種類（何個）表示されるかに遊技者を注目させることができ、ガセ予告画像を用いた演出の興趣を向上することができる。
【０１６８】
なお、ガセ予告画像が１種類表示される場合や２種類表示される場合にもゾーン演出が開始されるようにしてもよい。また、ガセ予告画像が４種類表示される場合に必ずゾーン演出が開始されないようにしてもよい。このような場合には、ガセ予告画像の種類の数に応じてゾーン演出の実行割合が異なるようにすればよい。例えば、ガセ予告画像が表示される種類の数が多い方がゾーン演出の実行割合が高くなるようにしてもよい。
【０１６９】
また、同じガセ予告演出が複数回実行されるようにしてもよい。このような場合、ガセ予告画像が同じ種類で複数表示されることとなる。例えば、ガセ予告演出Ａが複数回実行されることに対応してガセ予告画像Ａが複数個表示されることとなる。このような場合に、ガセ予告画像の数が多い方が少ない場合よりもゾーン演出が開始される割合が高くなるようにしてもよい。
【０１７０】
また、ガセ予告画像の数が同じであっても、ガセ予告画像の種類や組合せによりゾーン演出の実行割合が異なるようにしてもよい。具体的には、ガセ予告画像がＡ，Ｂで表示されているときと、ガセ予告画像がＡ，Ｃで表示されているときとでゾーン演出の実行割合が異なるようにしてもよい。
【０１７１】
また、図８−１（Ｂ）に示すように、ガセ予告画像が３つのときにゾーン煽り演出を２回実行可能なパターンが設けられている。このようにガセ予告画像が３つ表示されているときにゾーン煽り演出が２回実行されるパターンが設けられているため、１回のみしかゾーン煽り演出が実行されない場合に比べ演出の幅を持たせ、ガセ予告画像を用いた演出の興趣を向上することができる。
【０１７２】
次に、特定画像としてのガセ予告画像を用いた各種演出の演出例について説明する。図８−２は、特定画像を用いた演出の演出例を示す表示画面図である。図８−２（Ａ）は、変動開始時の画像表示装置５の画面を示す図である。変動開始時には、３つの飾り図柄が変動表示を開始し、その様子が下向きの３本の矢印で示されている。実際は、数字図柄が上から下に向けてスクロールしている。また、画面左下には、現在の変動表示に対応したアクティブ保留が台座の上に表示され、その右隣には未だ変動を開始していない保留記憶に対応した保留表示が２つ表示されている。
【０１７３】
図８−２（Ａ）の状態からガセ予告Ａが発生した場合には、図８−２（Ｂ）に示すように、ガセ予告演出に対応する演出が実行される。なお、便宜上以下の図面ではガセ予告演出を単なる丸の表示で示しているが、実際はキャラクタがセリフを発しようとするが「・・・」の表示のみで終わるような何らかのガセ予告が実行される。また、画面中央には、４つの枠から構成される直方形状のゲージ画像が表示される。また、画面左上には、現在の飾り図柄の様子が下向きの矢印で示されている。
【０１７４】
図８−２（Ｂ）で示したガセ予告演出Ａに対応するガセ予告画像が画面上に表示された後に、図８−２（Ｃ）に示すように、ゲージ画像の左端にガセ予告演出に対応したガセ予告画像が格納される演出が実行される。また、図８−２（Ｃ）では、ガセ予告演出Ｂが発生している。次いで、図８−２（Ｄ）に示すように、ゲージ画像に左から２番目の位置にさらにガセ予告演出Ｂに対応するガセ予告画像が格納される。また、図８−２（Ｄ）では、ガセ予告演出Ｃが発生している。
【０１７５】
その後、図８−２（Ｅ）に示すように、ガセ予告演出Ｃ，ガセ予告演出Ｄに対応するガセ予告画像がゲージ画像に格納される。ゲージ画像に各ガセ予告画像が格納された後に、リーチ状態となる。例えば、「５」の数字図柄がリーチ状態の態様により画面中央で大きく表示された後に、画面左上に表示される。その後、図８−２（Ｅ）に示すように、ゲージ画像が発光するゾーン演出へ移行するか否かのゾーン煽り演出が実行される。そして、図８−２（Ｆ）に示すように、ゾーン煽り演出ではさらに画面上で爆発が発生する演出が実行される。ついで、ゾーン演出が開始される場合には、図８−２（Ｇ）に示すように、画面上に「チャンスゾーン」の文字が表示され、以降チャンスゾーン中の演出が実行される。ゾーン演出中には、ガセ予告画像を予告態様へと変更する予告変更演出が実行され、その後に予告演出が実行される。詳細は、図８−４で説明する。
【０１７６】
次に、特定画像を用いた別の演出例について説明する。図８−３は、特定画像を用いた演出の演出例を示す表示画面図である。図８−３（Ａ）〜（Ｄ）は、図８−２（Ａ）〜（Ｄ）と演出の態様が同じであるため、説明を省略する。図８−３（Ｅ）では、図８−２（Ｅ）の場合とは異なり、ガセ予告画像が３種類（３つ）溜まるがゲージの右端は空欄のままである。この状態においても、図８−３（Ｅ）に示すように、ゾーン煽り演出が実行されゲージ画像が発光する。次いで、図８−３（Ｆ）に示すように、ゾーン煽り演出ではさらに画面上で爆発が発生する演出が実行される。
【０１７７】
図８−３（Ｇ）では、図８−１（Ｂ）で示した１回目のゾーン煽り演出が失敗するパターンとして、「突入失敗」の文字が画面中央に表示される。その後、図８−３（Ｈ）に示すように、「まだまだ！」と画面中央に表示され、ＳＰリーチへと発展する発展示唆演出が実行される。その後、再度ゾーン煽り演出が実行される。なお、ＳＰリーチへ発展しない場合には、図８−３（Ｅ）〜（Ｇ）に示すようなゾーン煽り演出が実行され、そのゾーン煽り演出が失敗したときに変動表示が停止する。
【０１７８】
図８−２、図８−３に示すように、大当り遊技状態に制御されないはずれ結果を示唆するガセ予告演出を実行したことによりガセ予告画像を表示する。これにより、大当り遊技状態に制御されることを直接予告しないガセ予告演出に対しても、その後にガセ予告画像が表示され、ガセ予告画像を用いた演出が実行される可能性があるため、特定画像を用いた演出の興趣を向上させることができる。
【０１７９】
また、図８−３（Ｅ）〜（Ｇ）に示すように、複数のガセ予告画像を表示しているときにゾーン演出が開始されない場合は、予告演出を実行することなく複数のガセ予告画像の表示を終了する。つまり、ゲージ画像に表示されているガセ予告画像が複数表示されている状態で同時に全てのガセ予告画像の表示が消えることとなる。このように、ガセ予告画像が複数表示されていても何ら以降の演出に用いられることが無く同時に消去されることにより、ガセ予告画像が表示された後もガセ予告画像についての表示の動向に注目を集めることができ、特定画像を用いた演出の興趣を向上させることができる。
【０１８０】
次に、特定画像を用いたチャンスゾーン中の演出について説明する。図８−４は、特定画像を用いたゾーン演出中の演出例を示す図である。図８−４（Ａ）に示すように、ゾーン演出中では、予告変更演出が開始される際に画像表示装置５の画面の中央で「予告変更！」の文字が表示されるとともに、ゲージ画像が画面右側で縦に並ぶように調整される。また、画面右上には、ゾーン演出中であることを示す「チャンスゾーン」のテロップが表示される。
【０１８１】
その後、ガセ予告画像を予告態様であるいずれかの予告画像に変更するためのガセ予告Ａ変更演出が実行される。図８−４（Ｂ）に示すように、ガセ予告画像Ａを用いた予告変更演出では、画面右側に表示されていたガセ予告画像Ａに対応する画像が画面中央上部に移動し、その下に４つのマスから形成されるルーレット画像が表示される。ルーレット画像には、予告Ｗ，予告Ｘ，予告Ｙ，予告Ｚと４つの予告に関する文字が記載される。ルーレット画像の下側には、プッシュボタン３１Ｂの操作を促す操作促進画像が表示される。ルーレット画像を用いたルーレット演出では、いずれか１つのマスが発光されている状態から発光が４つのマスを一定の順序によって動く（例えば、予行Ｗのマスから発光が右回転する）演出が実行される。そしてルーレット演出では、遊技者のプッシュボタン３１Ｂの操作によりいずれかのマスで発光が停止する演出が実行される。
【０１８２】
このようなルーレット画像は、表示しているガセ予告画像によりいずれの種類の予告演出が実行されるのかを示唆する示唆表示として機能する。よって、いずれの種類の予告演出が実行される候補に挙がっているかを事前に確認できる。このようにすれば、いずれの演出が実行されるのかを分かり易く示すことで期待度を高められる。また、ルーレット画像により、遊技者の注目を集めることができ、ガセ予告画像を用いた演出の興趣を向上させることができる。
【０１８３】
遊技者がプッシュボタン３１Ｂを押圧することにより、図８−４（Ｃ）に示すように、予告Ｗのマスで発光が止まる。その後、図８−４（Ｄ）に示すように、止まったマスに対応する予告Ｗの画像が画面の中央で大きく表示され、予告Ｗに決定されたことが示される。次いで、図８−４（Ｅ）に示すように、予告Ｗに対応する画像が画面左下に小さく表示される。なお、遊技者がプッシュボタン３１Ｂを操作しない場合には、所定の有効期間経過後に予告Ｗのマスで発光が止まる。画面左下の予告Ｗの画像は、今後予告Ｗが実行されることを示すものである。
【０１８４】
その後、図８−４（Ｆ）に示すように、ガセ予告画像Ｂを予告態様に変更するガセ予告Ｂ変更演出が実行される。ガセ予告Ｂ画像を用いた予告変更演出では、図８−４（Ｂ）で示したように、ガセ予告画像Ｂに対応する画像が画面中央上部に移動し、その下に予告Ｗ，予告Ｘ，予告Ｙ，予告Ｚの文字が記載されたルーレット画像が表示される。ルーレット画像の下には、操作促進画像が表示されている。また、予告Ｗに対応する画像が画面左下に小さく表示される。
【０１８５】
図８−４（Ｇ）の状態で遊技者がプッシュボタン３１Ｂを操作すると、ルーレット画像に表示されている予告画像が消え、「増加」の文字が表示される。その後、ガセ予告画像Ｂとルーレット画像とが２つに分離する増加演出が実行される。増加演出により増加した２つのルーレット画像の下には、促進画像がそれぞれ表示される。この状態で、遊技者がプッシュボタン３１Ｂを操作すると、１度目の操作により左側のルーレット画像に対してマスの発光が停止し、２度目の操作により右側のルーレット画像に対してマスの発光が停止する。そして、図８−４（Ｈ）に示すように、左側のルーレットでは予告Ｘのマスで発光が止まり、右側のルーレットでは予告Ｙのマスで発光が止まる。これにより、１つのガセ予告画像に対して複数個の予告態様に決定されることとなる。
【０１８６】
その後、ガセ予告画像Ｃ、ガセ予告画像Ｄに対応する予告変更演出が実行されることにより、最終的に図８−４（Ｈ）に示すように、予告Ｗ，予告Ｘ，予告Ｙ，予告Ｗ，予告Ｚに対応する画像が画面下部に表示される。そして、各予告が実行されるタイミングになると、これらの溜められた予告演出が実行される。図８−４（Ｊ）は、予告Ｗが実行されたときを示している。画面下部の予告画像は、左端から右端にかけて順に消化されるようになっており、図８−４（Ｊ）では、一番左端の予告Ｗの画像に対応する予告Ｗによる演出が実行される。なお、予告演出が実行される順序は、左端から順ではなくランダムに実行されるようにしてもよい。また、ほぼ同時のタイミングで２つ以上の予告が実行されるようにしてもよい。
【０１８７】
図８−４（Ｇ），（Ｈ）に示すように、ゾーン演出の際にゾーン演出を実行するよりも前に表示していたガセ予告画像よりも多い数のガセ予告画像を表示可能である。このようにすれば、ゾーン演出が実行されることにより、ゾーン演出開始前よりもガセ予告画像が増加することに期待を持たせることができ、ガセ予告画像に遊技者を注目させることができるため、特定画像を用いた演出の興趣を向上させることができる。
【０１８８】
次に、前述したガセ予告画像を用いた演出の決定テーブルについて説明する。図８−５は、予告演出内容決定テーブルを示す説明図である。予告演出内容決定テーブルは、スーパーリーチ中に実行される予告演出の内容を決定するためのテーブルである。図８−５（Ａ）は、大当り時に用いられる大当り時予告演出内容決定テーブルである。図８−５（Ｂ）は、はずれ時に用いられるはずれ時予告演出内容決定テーブルである。これらのテーブルは、ＲＯＭ１２１に記憶されている。また、図８−５では、予告演出のパターンのうち、一部のパターンのみを開示してある。
【０１８９】
図８−５（Ａ），（Ｂ）における予告パターンは、Ｙ−１〜Ｙ−ｎ（ｎは任意の整数）と、Ｚ−１〜Ｚ−ｎ（ｎは任意の整数）とで共通しており、大当り時とはずれ時とで実行される割合が異なっている。割合や予告の一部については、省略した記号「…」で示されている。また、予告のパターンには、予告が４回実行されるパターンと予告が５回実行されるパターンとが設けられている。予告が４回実行される予告パターンＹ−１（Ｚ−１）は、予告１回目で予告Ｗが実行され、予告２回目で予告Ｗが実行され、予告３回目で予告Ｗが実行され、予告４回目で予告Ｗが実行されるパターンである。
【０１９０】
予告が４回実行される予告パターンＹ−５（Ｚ−５）は、予告１回目で予告Ｗが実行され、予告２回目で予告Ｘが実行され、予告３回目で予告Ｙが実行され、予告４回目で予告Ｚが実行されるパターンである。予告が５回実行される予告パターンＹ−１０（Ｚ−１０）は、予告１回目で予告Ｗが実行され、予告２回目で予告Ｘが実行され、予告３回目で予告Ｙが実行され、予告４回目で予告Ｗが実行され、予告５回目で予告Ｚが実行されるパターンである。このような予告パターン表においては、予告パターンが下に行くほど（番号が大きくなるほど）大当り時の実行割合が高くはずれ時の実行割合が低くなっている。このため、予告パターンが下に行くほど（番号が大きくなるほど）大当り期待度が高いということになる。
【０１９１】
次に、ガセ予告画像を予告態様へと変更する予告変更演出において実行される演出の決定するためのテーブルについて説明する。図８−６は、予告変更演出パターン決定テーブルを示す説明図である。予告演出パターン決定テーブルは、予告演出回数と大当りかはずれかとにより異なるテーブルが用いられる。図８−６（Ａ）は、予告演出の回数が５回で、大当り表示結果となるときに用いられる、予告５回大当り時予告変更演出パターン決定テーブルである。図８−６（Ｂ）は、予告演出の回数が４回で、大当り表示結果となるときに用いられる、予告４回大当り時予告変更演出パターン決定テーブルである。図８−６（Ｃ）は、予告演出の回数が５回で、はずれ表示結果となるときに用いられる予告５回はずれ時予告変更演出パターン決定テーブルである。図８−６（Ｄ）は、予告演出の回数が４回で、はずれ表示結果となるときに用いられる予告４回はずれ時予告変更演出パターン決定テーブルである。これらのテーブルは、ＲＯＭ１２１に記憶されている。
【０１９２】
予告演出が５回が実行されるときの図８−６（Ａ），（Ｃ）における予告パターンは、Ｈ−１〜Ｈ−６と、Ｈ２１〜Ｈ２６とで共通しており、大当り時とはずれ時とで実行される割合が異なっている。また、予告演出が４回実行されるときの図８−６（Ｂ），（Ｄ）における予告パターンは、Ｈ−１１〜Ｈ−１５と、Ｈ３１〜Ｈ３５とで共通しており、大当り時とはずれ時とで実行される割合が異なっている。
【０１９３】
図８−６における予告演出の回数は、スーパーリーチ中に実行される予告演出の回数を示す。また、ガセ予告演出の回数は、リーチ状態となる前にガセ予告演出が実行されることによりガセ予告画像が表示される回数を示す。煽り演出の回数は、ゾーン演出が開始される前に実行されるゾーン煽り演出の回数を示す。
【０１９４】
また、図８−６に示すように、予告演出の回数は、５回あるいは４回となっている。また、ガセ予告演出の回数は、３回あるいは４回となっている。ガセ予告画像は、予告変更演出により予告態様としての予告画像に変化する。ここで、ガセ予告演出の回数が予告演出の回数よりも少ないパターンには、予告演出５回ガセ予告演出４回のパターンや予告演出４回ガセ演出３回のパターンがある。これらのパターンは、図８−４（Ｈ）に示したように、予告変更演出においてガセ予告画像が２つに増加するパターンである。また、煽り演出の回数は１回の場合と２回の場合とがある。煽り演出の回数が２回のパターンは、図８−１（Ｂ）に示したように、リーチ後にゾーン煽り演出が実行されるとともに、ＳＰリーチ発展後にゾーン煽り演出が実行されるパターンである。
【０１９５】
図８−６（Ａ）、図８−６（Ｃ）に示す各パターンについて説明する。変更演出パターンＨ−１，Ｈ−２１は、予告演出の回数が５回、ガセ予告演出の回数が４回、煽り演出の回数が１回のパターンである。このパターンが実行されるときの予告変更演出パターンは、ガセ予告画像Ａが２つに増加して予告画像が２つ表示され、ガセ予告画像Ｂが予告画像として表示され、ガセ予告画像Ｃが予告画像として表示され、最後にガセ予告画像Ｄが予告画像として表示されるパターンである。変更演出パターンＨ−２，Ｈ−２２は、予告演出の回数が５回、ガセ予告演出の回数が４回、煽り演出の回数が１回のパターンである。このパターンが実行されるときの予告変更演出パターンは、ガセ予告画像Ａが予告画像として表示され、ガセ予告画像Ｂが２つに増加して予告画像が２つ表示され、ガセ予告画像Ｃが予告画像として表示され、最後にガセ予告画像Ｄが予告画像として表示されるパターンである。
【０１９６】
変更演出パターンＨ−３，Ｈ−２３は、予告演出の回数が５回、ガセ予告演出の回数が４回、煽り演出の回数が１回のパターンである。このパターンが実行されるときの予告変更演出パターンは、ガセ予告画像Ａが予告画像として表示され、ガセ予告画像Ｂが予告画像として表示され、ガセ予告画像Ｃが２つに増加して予告画像が２つ表示され、最後にガセ予告画像Ｄが予告画像として表示されるパターンである。変更演出パターンＨ−４，Ｈ−２４は、予告演出の回数が５回、ガセ予告演出の回数が４回、煽り演出の回数が１回のパターンである。このパターンが実行されるときの予告変更演出パターンは、ガセ予告画像Ａが予告画像として表示され、ガセ予告画像Ｂが予告画像として表示され、ガセ予告画像Ｃが予告画像として表示され、最後にガセ予告画像Ｄが２つに増加して予告画像が２つ表示されるパターンである。
【０１９７】
変更演出パターンＨ−５，Ｈ−２５は、予告演出の回数が５回、ガセ予告演出の回数が３回、煽り演出の回数が２回のパターンである。このパターンが実行されるときの予告変更演出パターンは、ガセ予告画像Ａが２つに増加して予告画像が２つ表示され、ガセ予告画像Ｂが２つに増加して予告画像が２つ表示され、最後にガセ予告画像Ｃが予告画像として表示されるパターンである。変更演出パターンＨ−６，Ｈ−２６は、予告演出の回数が５回、ガセ予告演出の回数が３回、煽り演出の回数が２回のパターンである。このパターンが実行されるときの予告変更演出パターンは、ガセ予告画像Ａが予告画像として表示され、ガセ予告画像Ｂが２つに増加して予告画像が２つ表示され、最後にガセ予告画像Ｃが２つに増加して予告画像が２つ表示されるパターンである。
【０１９８】
次に、図８−６（Ｂ），図８−６（Ｄ）に示す各パターンについて説明する。変更演出パターンＨ−１１，Ｈ−３１は、予告演出の回数が４回、ガセ予告演出の回数が４回、煽り演出の回数が１回のパターンである。このパターンが実行されるときの予告変更演出パターンは、ガセ予告画像Ａが予告画像として表示され、ガセ予告画像Ｂが予告画像として表示され、ガセ予告画像Ｃが予告画像として表示され、最後にガセ予告画像Ｄが予告画像として表示されるパターンである。このパターンは、ガセ予告画像が２つ増加される場合がないパターンである。
【０１９９】
変更演出パターンＨ−１２，Ｈ−３２は、予告演出の回数が４回、ガセ予告演出の回数が３回、煽り演出の回数が１回のパターンである。このパターンが実行されるときの予告変更演出パターンは、ガセ予告画像Ａが２つに増加して予告画像が２つ表示され、ガセ予告画像Ｂが予告画像として表示され、最後にガセ予告画像Ｃが予告画像として表示されるパターンである。変更演出パターンＨ−１３，Ｈ−３３は、予告演出の回数が４回、ガセ予告演出の回数が３回、煽り演出の回数が１回のパターンである。このパターンが実行されるときの予告変更演出パターンは、ガセ予告画像Ａが予告画像として表示され、ガセ予告画像Ｂが２つに増加して予告画像が２つ表示され、最後にガセ予告画像Ｃが予告画像として表示されるパターンである。
【０２００】
変更演出パターンＨ−１４，Ｈ−３４は、予告演出の回数が４回、ガセ予告演出の回数が３回、煽り演出の回数が２回のパターンである。このパターンが実行されるときの予告変更演出パターンは、ガセ予告画像Ａが２つに増加して予告画像が２つ表示され、ガセ予告画像Ｂが予告画像として表示され、最後にガセ予告画像Ｃが予告画像として表示されるパターンである。変更演出パターンＨ−１５，Ｈ−３５は、予告演出の回数が４回、ガセ予告演出の回数が３回、煽り演出の回数が２回のパターンである。このパターンが実行されるときの予告変更演出パターンは、ガセ予告画像Ａが予告画像として表示され、ガセ予告画像Ｂが２つに増加して予告画像が２つ表示され、最後にガセ予告画像Ｃが予告画像として表示されるパターンである。
【０２０１】
予告演出の回数が５回である図８−６（Ａ）と図８−６（Ｃ）とを比較すると、大当り時には、はずれ時よりも煽り演出の回数が多いパターンに決定されやすい。また、予告変更演出としてガセ予告画像が後ろのタイミングで増加するパターンに決定されやすい。このような関係から、煽り演出が１回実行されるよりも２回実行され、さらに、ガセ予告画像が増加するタイミングが後ろのタイミングとなる程、大当り期待度が高い。これは、予告演出の回数が４回である図８−６（Ｂ）と図８−６（Ｄ）とを比較した場合も同じである。なお、予告演出の回数が５回の場合にも変更演出パターンとしてガセ予告画像が１回も増加しないパターンを設けてもよい。
【０２０２】
次に、ガセ予告画像を用いた各種の演出を設定する予告処理について説明する。図８−７は、予告処理を示すフローチャートである。予告処理は、可変表示開始設定処理（図７のＳ１７１）において実行される処理に含まれる。演出制御用ＣＰＵ１２０は、まず、今回実行される可変表示の変動パターンが、擬似連２回のスーパーリーチの変動パターンであるか否かを判定する（００４ＦＳ００１）。擬似連２回のスーパーリーチの変動パターンであるか否かは、メイン側からサブ側に送られてくる変動パターン指定コマンドの値から判定すればよい。
【０２０３】
演出制御用ＣＰＵ１２０は、００４ＦＳ００１において、擬似２回のスーパーリーチの変動パターンであると判定した場合（００４ＦＳ００１；Ｙ）は、図８−５に示した予告演出内容決定テーブルにより、スーパーリーチ中の予告パターンを決定する（００４ＦＳ００２）。次いで、演出制御用ＣＰＵ１２０は、決定された予告演出の回数が５回であるか否かを判定する（００４ＦＳ００３）。演出制御用ＣＰＵ１２０は、予告演出の回数を５回と判定した場合には、図８−６（Ａ）の予告５回大当り時予告変更演出パターン決定テーブル、または、図８−６（Ｂ）の予告５回はずれ時予告変更演出パターン決定テーブルを用いて、予告変更演出パターンを決定する。次いで、００４ＦＳ００６の処理へ移行する。
【０２０４】
００４ＦＳ００３において、予告演出の回数が５回でないと判定された場合（００４ＦＳ００３；Ｎ）には、００４ＦＳ００５の処理へ移行する。図８−５により予告演出の回数が５回ではないということは、４回に設定されていることになる。よって、演出制御用ＣＰＵ１２０は、００４ＦＳ００５の処理において、図８−６（Ｂ）の予告４回大当り時予告変更演出パターン決定テーブル、または、図８−６（Ｄ）の予告４回はずれ時予告変更演出パターン決定テーブルを用いて、予告変更演出パターンを決定する。次いで、００４ＦＳ００６の処理へ移行する。
【０２０５】
演出制御用ＣＰＵ１２０は、００４ＦＳ００１において、擬似２回のスーパーリーチの変動パターンでないと判定した場合（００４ＦＳ００１；Ｎ）には、今回の変動パターンが擬似連２回のリーチはずれの変動パターンであるか否かを判定する（００４ＦＳ００７）。演出制御用ＣＰＵ１２０は、００４ＦＳ００７において、擬似連２回のリーチはずれの変動パターンでないと判定した場合（００４ＦＳ００７；Ｎ）には、処理を終了する。それに対し、演出制御用ＣＰＵ１２０は、擬似連２回のリーチはずれの変動パターンであると判定した場合（００４ＦＳ００７；Ｙ）には、ガセ予告Ａ〜Ｃを実行する。次いで、００４ＦＳ００６の処理へ移行する。
【０２０６】
演出制御用ＣＰＵ１２０は、００４ＦＳ００６の処理においては、００４ＦＳ００４，００４ＦＳ００５，００４ＦＳ００８で決定された内容の演出を実行するように設定する。そして、処理を終了する。予告処理が実行されることにより、ガセ予告画像を用いた一連の演出が決定される。
【０２０７】
〔特徴部００４Ｆ〜００６Ｆにより得られる主な構成や効果〕
［１］  図８−２に示すように、大当り遊技状態に制御されないはずれ結果を示唆するガセ予告演出を実行したことによりガセ予告画像である特定画像を表示する。このようにすれば、大当り表示結果を示唆しない特定画像を好適に演出に用いることができ、特定画像を用いた演出の興趣を向上させることができる。
【０２０８】
［２］  図８−１（Ｂ）に示すように、ガセ予告画像が３つのときにゾーン煽り演出を２回実行可能なパターンが設けられている。このようにガセ予告画像が３つ表示されているときにゾーン煽り演出が２回実行されるパターンが設けられているため、１回のみしかゾーン煽り演出が実行されない場合に比べ演出の幅を持たせ、ガセ予告画像を用いた演出の興趣を向上することができる。
【０２０９】
［３］  図８−１に示すように、ガセ予告画像が４種類表示されるときには必ずゾーン演出を開始するが、ガセ予告画像が３種類の場合には、ゾーン演出が開始されるものと開始されないものとがある。このようにすれば、ガセ予告画像が何種類表示されるかに遊技者を注目させることができ、ガセ予告画像を用いた演出の興趣を向上することができる。
【０２１０】
［４］  図８−３（Ｅ）〜（Ｇ）に示すように、複数のガセ予告画像を表示しているときにゾーン演出が開始されない場合は、予告演出を実行することなく複数のガセ予告画像の表示を終了する。つまり、ゲージ画像に表示されているガセ予告画像が複数表示されている状態で同時に全てのガセ予告画像の表示が消えることとなる。このように、ガセ予告画像が複数表示されていても何ら以降の演出に用いられることが無く同時に消去されることにより、ガセ予告画像が表示された後もガセ予告画像についての表示の動向に注目を集めることができ、特定画像を用いた演出の興趣を向上させることができる。
【０２１１】
［５］  図８−４（Ｇ），（Ｈ）に示すように、ゾーン演出の際にゾーン演出を実行するよりも前に表示していたガセ予告画像よりも多い数のガセ予告画像を表示可能である。このようにすれば、ゾーン演出が実行されることにより、ゾーン演出開始前よりもガセ予告画像が増加することに期待を持たせることができ、ガセ予告画像に遊技者を注目させることができるため、特定画像を用いた演出の興趣を向上させることができる。
【０２１２】
［６］  図８−４（Ｂ）に示すように、表示しているガセ予告画像によりいずれの種類の予告演出が実行されるのかを示唆する示唆表示として機能する。よって、事前にいずれの種類の予告演出が実行される候補に挙がっていることを確認できる。このようにすれば、遊技者の注目を集めることができ、ガセ予告画像を用いた演出の興趣を向上させることができる。
【０２１３】
〔特徴部００４Ｆ〜００６Ｆのその他の変形例〕
［１］  前述した実施の形態において、ガセ予告演出の種類は複数種類設けられているようにし、ガセ予告演出の種類に応じて表示されるガセ予告画像の種類の選択割合が異なるようにしてもよい。例えば、ガセ予告演出Ａが実行される場合には、ガセ予告画像Ｅよりもガセ予告画像Ｆが選択される割合が高く、ガセ予告演出Ｂが実行される場合には、ガセ予告画像Ｇよりもガセ予告画像Ｈが選択される割合が高くなるようにしてもよい。このようにすれば、実行される予告演出にも注目させることができるため、ガセ予告画像を用いた演出の興趣を向上させることができる。
【０２１４】
［２］  前述した実施の形態において、低期待度の演出に対するガセ予告演出と、高期待度の演出に対するガセ予告演出とで表示されるガセ予告画像の種類が異なるようにしてもよい。例えば、低期態度の演出として予め決まった図柄の組合せが表示されるチャンス目が表示される演出のガセ予告演出と、高期待度の演出として役物を可動させる役物動作演出のガセ予告演出とでは、表示されるガセ予告画像の表示の種類が異なる（例えば、色や柄が異なる）ようにしてもよい。
【０２１５】
［３］  前述した実施の形態において、ガセ予告画像が表示される可能性が高いことを示唆するガセゾーン演出を実行可能としてもよい。そして、ガセゾーン演出が実行されているか否かに応じてゾーン演出の実行割合が異なるようにしてもよい。例えば、ガセ予告演出が実行される前にガセ予告演出が複数回実行されることを示唆するガセゾーン演出を実行するようにしてもよい。そして、ガセゾーン演出においてガセ予告演出が複数回実行されることによりガセ予告画像が複数種類表示されるようにすればよい。また、ガセゾーン演出が実行された場合の方が実行されなかった場合よりもゾーン演出が実行されやすいようにしてもよい。また、ガセ予告演出により表示されるガセ予告画像の種類と数とが同じ場合であっても、ガセゾーン演出が実行された場合の方が、ガセゾーン演出が実行されない場合よりもゾーン演出が実行されやすいようにしてもよい。
【０２１６】
［４］  前述した実施の形態において、予告演出が実行されるターゲットとなる変動表示よりも前の変動における先読み予告演出の期間において、ガセ予告演出が実行されるようにしてもよい。また、先読み予告演出が実行される場合には、先読み予告演出が実行されない場合よりもガセ予告演出が実行されやすく、そのガセ予告演出に伴ってガセ予告画像が表示されやすいようにしてもよい。また、先読み予告演出は、ガセゾーン演出とともに実行されるようにしてもよい。このような場合には、先読み予告演出においてガセゾーン演出が実行される場合の方が実行されない場合よりもガセ予告画像が表示されやすいようにすればよい。
【０２１７】
［５］  前述した実施の形態において、図８−６に示すようにガセ予告演出の回数は、少なくとも３回の場合を示した。しかしながら、ガセ予告演出の回数は、１回や２回であってもよい。このような場合、ガセ予告画像が増加する演出により、最終的にガセ予告画像の数が５個表示されるようにしてもよい。このようにすれば、ゾーン演出の前にガセ予告画像を表示する演出を予め多く実行する必要がないため演出の設計自由度を増加させることができる。また、遊技者にとってはゾーン演出の前のガセ予告画像の表示数が少ない場合にも後々にガセ予告画像が増加することに期待を持たせることができるため演出の興趣を向上させることができる。
【０２１８】
［６］  前述した実施の形態において、ガセ予告画像に対して表示されるルーレット画像の内容は、毎回一緒ではなく異なる表示のパターンを設けてもよい。このような場合に、ガセ予告画像の種類に応じてルーレット画像の内容が異なるようにしてもよいし、大当り期待度に応じてルーレット画像の内容が異なるようにしてもよい。また、ガセ予告画像の種類により、ルーレット画像に表示される選択肢の数が異なるようにしてもよい。
【０２１９】
［７］  前述した実施の形態において、ガセ予告演出は、擬似連変動以外の変動で実行されるようにしてもよい。また、擬似連演出においてガセ予告演出が実行される場合と、その他の変動でガセ予告演出が実行される場合とでガセ予告画像の表示態様が異なるようにしてもよい。
【０２２０】
［８］  前述した実施の形態において、ガセ予告画像が溜まる演出の種類が複数あってもよい。そして、ガセ予告演出が溜まる演出の種類により、ゾーン演出が実行される割合が異なるようにしてもよい。具体的には、ゲージにガセ予告画像が溜まる演出と、袋の中にガセ予告画像が溜まる２つの演出を設け、ゲージにガセ予告画像が溜まる演出の方が、袋の中にガセ予告画像が溜まる演出よりもゾーン演出が実行される割合を高くしてもよい。
【０２２１】
［９］  前述した実施の形態において、予告変更演出において１つのガセ予告画像から３つ以上のガセ予告画像に増加するパターンを設けてもよい。また、１つのガセ予告演出に対して２つ以上のガセ予告画像が最初から表示されるパターンを設けてもよい。また、予告変更演出が実行される前にガセ予告画像が２つに増加するパターンを設けてもよい。
【０２２２】
［１０］  遊技機の一例としてパチンコ遊技機１を例示したが、前述した実施形態はこれに限定されるものではなく、メダルが投入されて所定の賭け数が設定され、遊技者による操作レバーの操作に応じて複数種類の図柄を回転させ、遊技者によるストップボタンの操作に応じて図柄を停止させたときに停止図柄の組合せが特定の図柄の組み合わせになると、所定数のメダルが遊技者に払い出されるスロットマシンに適用してもよい。例えば、このようなスロットマシンに適用する場合には、遊技者にとって有利なボーナス、ＡＴ（遊技者にストップボタン操作の操作手順を報知する状態）、ＣＺ（報知状態であるＡＴへの制御に関する有利度が高い状態）、ＡＲＴ（ＡＴ＋リプレイ確率が高いＲＴである状態）等へ移行していること、あるいは移行することを示唆する一連の演出の中で画像を用いた演出が実行されるようにすればよい。
【０２２３】
〔設定変更機能付きパチンコ遊技機について〕
パチンコ遊技機１は、設定値に応じて大当りの当選確率（出玉率）が変わる構成としてもよい。例えば、特別図柄プロセス処理の特別図柄通常処理において、設定値に応じた表示結果判定テーブル（当選確率）を用いることにより、大当りの当選確率（出玉率）が変わるようにしてもよい。設定値は１〜６の６段階からなり、６が最も出玉率が高く、６、５、４、３、２、１の順に値が小さくなるほど出玉率が低くなる。すなわち、設定値として６が設定されている場合には遊技者にとって最も有利度が高く、５、４、３、２、１の順に値が小さくなるほど有利度が段階的に低くなる。また、設定値は、最も大きい値である６が最も遊技場側にとって不利な値であり、５、４、３、２、１の順に値が小さくなるほど遊技場側にとって有利な値となる。なお、設定値に応じて出玉率が変われば、例えば、大当りの確率が設定値によって変わっていてもよいし、大当り確率は一定であるものの大当り遊技状態におけるラウンド数が設定値によって変わっていてもよい。このように、パチンコ遊技機１は、遊技者にとっての有利度が異なる複数の設定値のうちいずれかを設定可能に構成されていてもよい。パチンコ遊技機１において設定されている設定値は、主基板１１の側から演出制御基板１２の側へ設定値指定コマンドが送信されることにより通知される。
【０２２４】
〔設定示唆演出について〕
次に、現在設定されている設定値がいずれの値であるのかを示唆する設定示唆演出について説明する。例えば、設定示唆演出は、画像を用いて実行されるようにすればよい。具体的には、ガセ予告画像、予告画像、アイテム画像、箱画像等の画像の表示態様により設定示唆演出が行われるようにすればよい。このような場合には、これらの画像の表示態様を設定値に応じて異なる割合で変化させるようにすればよい。
【０２２５】
また、ルーレット画像の表示態様で設定示唆演出が実行されるようにしてもよい。具体的には、ルーレット画像のマスに表示される予告の組合せが高設定（設定４，５，６）のときにしか表示されないものがあるようにしてもよい。また、高設定のときに高い割合で表示される組合せがあるようにしてもよい。また、ルーレット画像のマスに表示される選択肢の中に高設定示唆のマスがあるようにしてもよい。なお、この高設定のマスは、実際に選ばれないようにしてもよく、遊技者に高設定であることが示唆される態様で表示されるものであればよい。
【０２２６】
〔画像を用いた演出の変形例〕
画像を用いた演出の変形例について説明する。図９−１は、画像を用いた演出の演出例を示す表示画面図である。画像を用いた演出として、箱の形状をしたアイテム画像が表示されるようにしてもよい。アイテム画像は、予告演出が実行されることを示唆する画像である。前述した実施の形態では、予告画像により実行される予告演出の種類が示唆されていたが、アイテム画像ではアイテム画像として表示されている箱が開くまでは予告の内容が示されない。
【０２２７】
箱の態様で示されるアイテム画像には、通常態様としての白色の箱で示される白アイテム画像と、白アイテム画像よりも大当り遊技状態に制御される期待度が高い赤色の箱で示される赤アイテム画像とが設けられている。なお、アイテム画像には、その他の種類の表示態様があってもよい。
【０２２８】
アイテム画像を用いたアイテム演出には、新たに白アイテム画像を表示するアイテム追加演出と、表示中の白アイテム画像を赤アイテム画像に変更するアイテム変更演出とが含まれる。アイテム演出は、可変表示中のスーパーリーチとなるタイミングよりも前のタイミングで実行される。可変表示中は、リーチ態様となることによりノーマルリーチとなることがある。ノーマルリーチは、大当り期待度のあまり高くないリーチであり、可変表示開始からノーマルチーリーチ終了までにかけての期間にアイテム画像を用いた演出が実行される。その後、大当り期待度の高いスーパーリーチへと発展することがある。
【０２２９】
スーパーリーチにおいては、複数のタイミングで予告演出が実行される。予告演出は、複数種類の態様が設けられている。所定のタイミングで実行される予告演出の態様により、大当り遊技状態に制御されることが示唆される。アイテム画像は、予告演出が実行されることを示唆する画像である。アイテム画像としての箱が開放することにより、中から予告演出に対応した画像が出現する。予告演出は、アイテム画像を表示し、アイテム画像の態様が変化して予告演出を実行する第１パターン演出と、アイテム画像を表示することなく予告演出を実行する第２パターン演出とのいずれかにより実行される。
【０２３０】
スーパーリーチ中においては、味方キャラクタと敵キャラクタとが戦うバトル演出が実行される。バトル演出は、味方キャラクタが敵キャラクタに勝利すると大当り表示結果が導出され、味方キャラクタが敵キャラクタに敗北するとはずれ表示結果が導出される演出である。このようなバトル演出の最中に様々な予告演出が実行される。例えば、バトル演出中には、タイトル変化演出、期待度表示演出、タイトル変化演出、カットイン演出、ボタン変化演出という予告演出が実行される。タイトル変化演出は、味方キャラクタと敵キャラクタとが戦うことを示すタイトルの表示の色が期待度の高い色へと変化する演出である。タイトル変化演出は、バトル演出の開始時とバトル演出の途中の期間とで実行されることがある。
【０２３１】
期待度表示演出は、今回のバトル演出において味方キャラクタが勝利する期待度を文字により示す演出である。味方キャラクタが勝利する期待度により異なる文字が表示される。カットイン演出は、味方キャラクタが敵キャラクタを攻撃するときに、画面上で味方キャラクタを表す画像がカットイン表示される演出である。このカットインされる画像が、味方が勝利する期待度により複数種類設けられている。ボタン変化演出は、バトル演出の結果が出る最終の煽り時に実行される演出である。ボタン変化演出では、通常のボタン操作を促す操作促進画像が味方が勝利する期待度の高い操作促進画像に変化することがある。
【０２３２】
第１パターン演出について説明する。第１パターン演出では、図９−１（Ａ）に示すように、白アイテム画像１７５ＦＳ００２が画面上に２つ表示された状態でバトル演出が開始される。画面上の左上には、現在リーチ状態であることが小図柄により示されている。その後、図９−１（Ｂ）に示すように、２つの白アイテム画像１７５Ｆ００２のうち、左側のアイテム画像が開放され、箱の中から「タイトル変化」の文字が出現する演出が実行される。この演出により、その後にタイトル変化演出が実行されることが示唆される。
【０２３３】
図９−１（Ｃ）は、タイトル変化演出が実行されている状態を示す図である。タイトルが表示される際に、通常白色の背景に「味方ＶＳ敵」の文字が表示されるものが、赤色の背景に「味方ＶＳ敵」の文字で表示されるものとなる。なお、文字の背景ではなく文字の色自体が白色から赤色に変化するようにしてもよい。このとき、白アイテム画像１７５Ｆ００２がもう１つ残っているため、何らかの予告演出がその後実行されることが示唆されている。
【０２３４】
その後、図９−１（Ｄ）に示すように、残りのアイテム画像が開放され、箱の中から「カットイン変化」の文字が出現する演出が実行される。この演出により、その後にカットイン変化演出が実行されることが示唆される。図９−１（Ｅ）は、カットイン変化演出が実行されている状態を示す図である。カットイン画像が表示される際に、通常白色の背景にキャラクタが表示されるものが、赤色の背景にキャラクタが表示されるものとなる。
【０２３５】
次に、第２パターン演出について説明する。第２パターン演出では、図９−１（Ｆ）に示すように、アイテム画像が表示されることなくバトル演出が開始される。その後、アイテム画像による演出無しに図９−１（Ｇ）のタイトル変化演出が実行される。さらに、アイテム画像による演出無しに図９−１（Ｈ）のカットイン変化演出が実行される。
【０２３６】
ここで、アイテム有りの第１パターンの方が、アイテム無しの第２パターンよりも大当り遊技状態に制御される期待度が高くなっている。このようにすれば、アイテム画像が表示されることに期待を持たせることができ、アイテム画像を用いた演出の興趣を向上させることができる。
【０２３７】
なお、第１パターンのときにしか実行されない演出を設けるようにしてもよい。このようにすれば、アイテム画像が表示される演出に特別感を与えることができ、アイテム画像を用いた演出の興趣を向上させることができる。
【０２３８】
また、タイトル変化演出が複数のタイミングで実行可能な場合に、タイトル変化演出がバトル演出の開始時に実行されるよりも途中で実行される場合の方が大当り遊技状態に制御される期待度が高くなるようにしてもよい。このようにすれば、同じタイトル変化演出であっても実行タイミングの違いに注目させることができ、アイテム画像を用いた演出の興趣を向上させることができる。
【０２３９】
次に、アイテム画像の態様が変化する場合について説明する。アイテム画像を用いた演出では、初回ゲット演出として、最初にプレゼント画像が表示される演出が実行される。初回ゲット演出では、白アイテム画像が１つ表示される場合や、白アイテム画像が２つ表示される場合等がある。また、初回ゲット演出では白アイテム画像よりも大当り期待度の高い赤アイテム画像が表示されることもある。なお、初回ゲット演出で表示されるアイテム画像は、白アイテム画像と赤アイテム画像とが１つずつ表示される等、様々な種類が設けられるようにしてもよい。
【０２４０】
図９−２は、画像を用いた演出の演出例を示す表示画面図である。図９−２（Ａ）に示すように、初回ゲット時にアイテム画像が１つ追加される場合には、「ＧＥＴ！」の文字とアイテム画像とが画面の中央に表示される。その後、図９−２（Ｂ）に示すように、白アイテム画像１７５ＦＳ００２が画面上の左下で待機して表示される。
【０２４１】
図９−２（Ｂ）の状態からアイテム追加演出が実行される場合には、図９−２（Ｃ）に示すように、画面中央に「ＧＥＴ！」の文字とともに白色のアイテム画像が１つ追加されるアイテム追加演出が実行されることがある。その後、図９−２（Ｄ）に示すように、追加された白アイテム画像１７５Ｆ００２を含め、画面上の下方に全部で２つの白アイテム画像１７５Ｆ００２が表示される。複数アイテム画像が表示されている場合には、左側のアイテム画像から順に開放される。
【０２４２】
また、図９−２（Ｂ）の状態からアイテム変更演出が実行される場合には、図９−２（Ｅ）に示すように、画面中央に「ＣＨＡＮＧＥ！」の文字とともに赤色のアイテム画像が表示されるアイテム変更演出が実行されることがある。画面中央の赤色のアイテム画像が、画面左下の白色のアイテム画像に作用する。これにより、図９−２（Ｆ）に示すように、白アイテム画像１７５Ｆ００２が赤アイテム画像１７５ＦＳ００３に変化して画面上の左下に１つ表示される。
【０２４３】
図９−２に示すように、新たに白アイテム画像を表示するアイテム追加演出と、表示中の白アイテム画像を赤アイテム画像に変更するアイテム変更演出とを実行可能である。このような場合、アイテム演出を実行する前の初回ゲット演出で表示されるアイテム画像の表示状況に応じて、アイテム追加演出とアイテム変更演出との実行割合が異なるようにしてもよい。このようにすれば、初回ゲット演出で表示されるアイテム画像の表示状況に注目させることができるので、アイテム画像を用いた演出の興趣を向上させることができる。
【０２４４】
アイテム追加演出は複数のタイミングで実行され、後半でアイテム追加演出が実行される方が前半で実行されるよりも大当り遊技状態に制御される期待度が高いようにしてもよい。このようにすれば、アイテム追加演出の実行タイミングに注目させることができるので、アイテム画像を用いた演出の興趣を向上させることができる。
【０２４５】
アイテム変更演出は複数のタイミングで実行され、後半でアイテム変更演出が実行される方が前半で実行されるよりも大当り遊技状態に制御される期待度が高いようにしてもよい。このようにすれば、アイテム変更演出の実行タイミングに注目させることができるので、アイテム画像を用いた演出の興趣を向上させることができる。
【０２４６】
最初から赤アイテム画像が表示される方が、途中で白アイテム画像が赤アイテム画像に変更するよりも大当り遊技状態に制御される期待度が高いようにしてもよい。このようにすれば、赤アイテム画像が表示されるタイミングに注目させることができるので、アイテム画像を用いた演出の興趣を向上させることができる。
【０２４７】
最初にアイテム画像が２個表示されているときの方が１個表示されているときよりも早いタイミングでアイテム画像が追加される演出が実行され、そのときの方が大当り遊技状態に制御される期待度が高いようにしてもよい。このようにすれば、アイテム画像の表示数に着目させることができ、アイテム画像を用いた演出の興趣を向上させることができる。
【０２４８】
アイテム画像に関する演出は、ガセ予告画像が予告態様としての予告画像となるときに予告画像の一部として実行されるようにしてもよい。また、アイテム画像に関する演出は、ガセ予告演出が実行されガセ予告画像が溜まるときの演出として実行されるようにしてもよい。
【０２４９】
次に、画像を用いた演出の別の変形例である特徴部１００ＡＫについて説明する。特徴部１００ＡＫにおけるパチンコ遊技機１では、実行中の可変表示における大当り信頼度を予告する予告演出として、特定画像を表示し、当該特定画像の表示態様を変化させて所定演出を実行する第１パターンと、特定画像を表示し、当該特定画像の表示態様を変化させて特定画像を新たに表示し、新たに表示した特定画像の表示態様を変化させて所定演出を実行する第２パターンと、特定画像を表示し、当該特定画像の表示態様を変化させて特定画像を新たに２つ表示し、当該２つの特定画像の表示態様を変化させて所定演出を実行する第３パターンと、のいずれかの所定演出を、有利状態に制御される期待度に応じて実行可能である。
【０２５０】
図１０−１は、画像を用いた演出の演出例を示す表示画面図である。具体的に、図１０−１は、アイテムＢが出現するパターン１の所定演出が実行される場合の演出動作例を示している。図１０−２は、アイテムＢが出現するパターン２の所定演出が実行される場合の演出動作例を示している。図１０−３は、アイテムＤとアイテムＥが出現するパターン３の所定演出が実行される場合の演出動作例を示している。
【０２５１】
パターン１の所定演出では、図１０−１（Ａ）に示すように、所定演出期間となり特定画像を表示するタイミングとなると、特定画像としての箱画像１００ＡＫ００１が表示される。そして、特定画像の表示態様を変化させるタイミング、すなわち箱を開くタイミングとなると、図１０−２（Ｂ）に示すように、箱が開放した態様へと変化し、アイテムＢが出現する。なお、箱が開放するまでの時間を示すタイマがセットになった箱画像１００ＡＫ００１が表示されてもよい。この場合、箱画像１００ＡＫ００１とともにタイマがセットで表示されるか否か、すなわちタイマ付きか否かにより、その後に出現するアイテムの種類が異なっていてもよい。これによれば、タイマ付きか否かにより期待度が異なるため、タイマ付きの箱画像１００ＡＫ００１が表示されるか否かに対する遊技者の注目を集めることができる。また、表示される特定画像としての箱画像１００ＡＫ００１の態様が複数あってもよい。例えば、赤の箱画像と白の箱画像といったように、色が異なる箱画像のうちいずれかの色の箱画像が表示されるようにしてもよい。そして、赤の箱画像が表示された場合の方が、白の箱画像が表示された場合よりも期待度の高い種類のアイテムが出現するなど、表示される箱画像の態様によって期待度が異なるようにしてもよい。
【０２５２】
パターン２の所定演出では、図１０−２（Ａ）に示すように、所定演出期間となり特定画像を表示するタイミングとなると、特定画像としての箱画像１００ＡＫ００１が表示される。そして、特定画像の表示態様を変化させるタイミング、すなわち箱を開くタイミングとなると、図１０−２（Ｂ）に示すように、箱が開放した態様へと変化し、新たに箱画像１００ＡＫ００２が表示される。その後特定画像の表示態様を変化させるタイミングとして、箱画像１００ＡＫ００２の箱を開くタイミングとなると、図１０−２（Ｃ）に示すように、箱が開放した態様へと変化し、アイテムＢが出現する。なお、パターン２の他にも、表示された箱から新たな箱が表示され、当該新たな箱からさらなる新たな箱が表示される、といったように、新たな箱が繰り返し表示され、繰り返した回数が多い程大当り期待度が高くなるようなパターンが複数設けられていてもよい。
【０２５３】
パターン３の所定演出では、図１０−３（Ａ）に示すように、所定演出期間となり特定画像を表示するタイミングとなると、特定画像としての箱画像１００ＡＫ００１が表示される。そして、特定画像の表示態様を変化させるタイミング、すなわち箱を開くタイミングとなると、図１０−３（Ｂ）に示すように、箱が開放した態様へと変化し、新たに箱画像１００ＡＫ００２と箱画像１００ＡＫ００３とが表示される。その後、リーチ状態となり、特定画像の表示態様を変化させるタイミングとして、箱画像１００ＡＫ００２および箱画像１００ＡＫ００３の箱を開くタイミングとなると、図１０−３（Ｃ）に示すように、箱が開放した態様へと変化し、アイテムＤとアイテムＥがそれぞれ出現する。なお、上述したように、それぞれの箱の開放タイミングは異なるタイミングであってもよい。また、新たな箱が２つ表示されるパターン３の他、新たな箱が３つ以上表示されるパターンがあってもよい。さらに、新たに表示された２つの箱から、さらに２つずつ新たな箱が表示されるパターンがあってもよい。なお、例えば、図１０−３（Ｂ）のように箱画像が２つ出現したような場合、一方の箱画像からは、アイテムを出現させるのではなく、他方の箱画像の態様を変化させる（例えば白から赤にランクアップさせる）演出を実行してもよい。また、箱画像が表示されるタイミングや当該表示される箱画像の数に応じて、箱が開放された際にアイテムが出現するのか、箱画像の表示態様が変化（色や形状が変化）するのかの割合が異なっていてもよい。
【０２５４】
これらの箱画像に関する演出は、ガセ予告画像が予告態様としての予告画像となるときに予告画像の一部として実行されるようにしてもよい。また、箱画像に関する演出は、ガセ予告演出が実行されガセ予告画像が溜まるときの演出として実行されるようにしてもよい。
【０２５５】
（特徴部の関連づけに係る説明）
特徴部に関する各構成は、他の特徴部に関する各構成の一部または全部と、適宜、組み合わせられてもよい。このように組み合わせられた特徴部、あるいは、組み合わせられていない個別の特徴部について、他の特徴部に関する各構成の一部または全部と、適宜、組み合わせられてもよい。
【０２５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２５７】
１  パチンコ遊技機、１０３  ＣＰＵ、５  画像表示装置、１２０  演出制御用ＣＰＵ。
【図１】
2020146127.tif 000003
【図２】
2020146127.tif 000004
【図３】
2020146127.tif 000005
【図４】
2020146127.tif 000006
【図５】
2020146127.tif 000007
【図６】
2020146127.tif 000008
【図７】
2020146127.tif 000009
【図８−１】
2020146127.tif 000010
【図８−２】
2020146127.tif 000011
【図８−３】
2020146127.tif 000012
【図８−４】
2020146127.tif 000013
【図８−５】
2020146127.tif 000014
【図８−６】
2020146127.tif 000015
【図８−７】
2020146127.tif 000016
【図９−１】
2020146127.tif 000017
【図９−２】
2020146127.tif 000018
【図１０−１】
2020146127.tif 000019
【図１０−２】
2020146127.tif 000020
【図１０−３】
2020146127.tif 000021